(57)【要約】  光軸を有する荷電粒子ビーム装置内で１次荷電粒子ビームレットのアレイによって試験片を検査する方法が提供される。この方法は、１次荷電粒子ビームを生成することと、１次荷電粒子ビームによって多開孔レンズ板を照射して、１次荷電粒子ビームレットのアレイを生成することと、第１および第２の像面湾曲補正電極によって荷電粒子ビーム装置の像面湾曲を補正することとを含む。この方法は、第１および第２の像面湾曲補正電極に電圧を印加することをさらに含む。第１および第２の像面湾曲補正電極によって提供される電界強度のうちの少なくとも１つは、荷電粒子ビーム装置の光軸に直交する平面内で変動する。この方法は、対物レンズによって試験片上の別個の場所に１次荷電粒子ビームレットを集束させることをさらに含む。【選択図】図１
2019537223.tif 000002
【特許請求の範囲】
【請求項１】
荷電粒子ビーム装置内で１次荷電粒子ビームレットのアレイによって試験片を検査する方法であって、前記荷電粒子ビーム装置は、前記荷電粒子ビーム装置のｚ方向に延びる光軸を有し、前記方法は、
荷電粒子ビームエミッタによって１次荷電粒子ビームを生成することと、
前記１次荷電粒子ビームによって表面を有する多開孔レンズ板を照射して、集束された前記１次荷電粒子ビームレットのアレイを生成することと、
前記多開孔レンズ板の前記表面上に少なくとも第１の電極によって電界を生成することであり、
前記少なくとも第１の電極によって提供される前記電界のｚ方向における電界成分が非回転対称である、生成することと、
対物レンズによって前記試験片上の別個の場所に前記１次荷電粒子ビームレットを集束させ、前記試験片を前記別個の場所で同時に検査することとを含む方法。
【請求項２】
前記少なくとも第１の電極は、前記伝播する１次荷電粒子ビームレットの方向で、前記開孔レンズ板の前に配置される、請求項１に記載の方法。
【請求項３】
前記少なくとも第１の電極は、前記伝播する１次荷電粒子ビームレットの方向で、前記開孔レンズ板の後に配置される、請求項１に記載の方法。
【請求項４】
前記少なくとも第１の電極によって提供される前記電界の非回転対称のｚ成分は、前記少なくとも第１の電極が円周方向に少なくとも２つの別個の電極セグメントに区分けされることによって提供され、特に区分けされた前記少なくとも第１の電極は、双極子、４極子、またはより高次の極を提供する、請求項１から３までのいずれか１項に記載の方法。
【請求項５】
前記少なくとも第１の電極によって提供される前記電界の非回転対称のｚ成分は、前記少なくとも第１の電極が、前記荷電粒子ビーム装置の前記光軸に直交する平面に対して傾斜していることによって提供される、請求項１から４までのいずれか１項に記載の方法。
【請求項６】
前記試験片のサンプル傾斜または局所的サンプル傾斜を測定することと、
前記傾斜に比例する電界強度または前記サンプル傾斜もしくは前記局所的サンプル傾斜を少なくとも部分的に補償する電界強度を有する前記電界を生成することと
をさらに含む、請求項１から６までのいずれか１項に記載の方法。
【請求項７】
走査偏向器によって前記試験片の上で前記１次荷電粒子ビームレットを走査させることをさらに含み、前記多開孔レンズ板の前記表面上に前記少なくとも第１の電極によって生成される前記電界のｚ成分は、前記走査偏向器の励磁に比例する振幅を有する、請求項１から６までのいずれか１項に記載の方法。
【請求項８】
１次荷電粒子ビームレットのアレイによって試験片を検査する荷電粒子ビーム装置であって、前記荷電粒子ビーム装置のｚ方向に延びる光軸を備え、前記荷電粒子ビーム装置は、
１次荷電粒子ビームレットのアレイを生成する荷電粒子ビーム源であり、
荷電粒子ビームを放出する荷電粒子ビームエミッタ、および
表面を有する多開孔レンズ板を備え、前記多開孔レンズ板は、１次荷電粒子ビームレットのアレイを生成および集束させるために少なくとも２つの開口を備え、前記１次荷電粒子ビームによって照射されるように配置される、荷電粒子ビーム源と、
前記多開孔レンズ板の前記表面上に電界を生成する少なくとも第１の電極であり、半径方向、円周方向、および前記１次荷電粒子ビームまたは前記１次荷電粒子ビームレットが通過する開孔部を有し、
円周方向に少なくとも２つの別個の電極セグメントに区分けされた少なくとも第１の電極と、
前記１次荷電粒子ビームレットのアレイのうちの各１次荷電粒子ビームレットを前記試験片上の別個の場所へ集束させる対物レンズとをさらに備える荷電粒子ビーム装置。
【請求項９】
前記別個の電極セグメントは、異なる電圧によって別個に付勢可能であり、特に区分けされた前記第１の電極は、双極子、４極子、またはより高次の極を提供する、請求項８に記載の荷電粒子ビーム装置。
【請求項１０】
前記少なくとも第１の電極は、前記伝播する１次荷電粒子ビームレットの方向で、前記開孔レンズ板の前に配置される、請求項８または９に記載の荷電粒子ビーム装置。
【請求項１１】
前記少なくとも第１の電極は、前記伝播する１次荷電粒子ビームレットの方向で、前記開孔レンズ板の後に配置される、請求項８または９に記載の荷電粒子ビーム装置。
【請求項１２】
前記試験片の上で前記１次荷電粒子ビームレットを走査させる走査偏向器をさらに備える、請求項８から１１までのいずれか１項に記載の荷電粒子ビーム装置。
【請求項１３】
前記少なくとも第１の電極は、前記荷電粒子ビーム装置の前記光軸に直交する平面に対して傾斜している、請求項８から１２までのいずれか１項に記載の荷電粒子ビーム装置。
【請求項１４】
１次荷電粒子ビームレットのアレイによって試験片を検査する荷電粒子ビーム装置であって、前記荷電粒子ビーム装置のｚ方向に延びる光軸を備え、前記荷電粒子ビーム装置は、
１次荷電粒子ビームレットのアレイを生成する荷電粒子ビーム源であり、
荷電粒子ビームを放出する荷電粒子ビームエミッタ、ならびに
１次荷電粒子ビームレットのアレイを生成および集束させるために少なくとも２つの開口を備える多開孔レンズ板を備え、前記多開孔レンズ板は、前記１次荷電粒子ビームによって照射されるように配置される、前記荷電粒子ビーム源と、
前記多開孔レンズ板の表面上に電界を生成する少なくとも第１の電極であり、前記１次荷電粒子ビームまたは前記１次荷電粒子ビームレットが通過する開孔部を有し、
前記荷電粒子ビーム装置の前記光軸に直交する平面に対して傾斜している少なくとも第１の電極と、
前記１次荷電粒子ビームレットのアレイのうちの各１次荷電粒子ビームレットを前記試験片上の別個の場所へ集束させる対物レンズとをさらに備える荷電粒子ビーム装置。
【請求項１５】
前記第１の電極は、どちらも前記ｚ方向に直交するｘまたはｙ方向に傾斜している、請求項１４に記載の荷電粒子ビーム装置。
【請求項１６】
前記第１の電極は、前記伝播する１次荷電粒子ビームレットの方向で、前記開孔レンズ板の前に配置される、請求項１４または１５に記載の荷電粒子ビーム装置。
【請求項１７】
前記第１の電極は、前記伝播する１次荷電粒子ビームレットの方向で、前記開孔レンズ板の後に配置される、請求項１４または１５に記載の荷電粒子ビーム装置。
【請求項１８】
前記第１の電極は、円周方向に少なくとも２つの別個の電極セグメントに区分けされる、請求項１４から１７までのいずれか１項に記載の荷電粒子ビーム装置。
【請求項１９】
前記荷電粒子ビーム装置は、前記試験片を傾斜させて支持するように適合される、請求項１４から１８までのいずれか１項に記載の荷電粒子ビーム装置。
【請求項２０】
試験片を検査するマルチカラム顕微鏡であって、
１次荷電粒子ビームレットのアレイによって試験片を検査する荷電粒子ビーム装置を備え、前記荷電粒子ビーム装置は、前記荷電粒子ビーム装置のｚ方向に延びる光軸を備え、前記荷電粒子ビーム装置は、
１次荷電粒子ビームレットのアレイを生成する荷電粒子ビーム源をさらに備え、前記荷電粒子ビーム源は、
荷電粒子ビームを放出する荷電粒子ビームエミッタ、
１次荷電粒子ビームレットのアレイを生成および集束させるために少なくとも２つの開口を備える多開孔レンズ板であり、前記１次荷電粒子ビームによって照射されるように配置された多開孔レンズ板、ならびに
前記多開孔レンズ板の表面上に電界を生成する少なくとも第１の電極であり、前記１次荷電粒子ビームまたは前記１次荷電粒子ビームレットが通過する開孔部を有し、
前記荷電粒子ビーム装置の前記光軸に直交する平面に対して傾斜しており、かつ／または円周方向に少なくとも２つの別個の電極セグメントに区分けされた少なくとも第１の電極を備え、前記荷電粒子ビーム装置は、
前記１次荷電粒子ビームレットのアレイのうちの各１次荷電粒子ビームレットを前記試験片上の別個の場所へ集束させる対物レンズをさらに備え、
前記マルチカラム顕微鏡は、
さらなる１次荷電粒子ビームレットのアレイを生成するさらなる荷電粒子ビーム源をさらに備える、マルチカラム顕微鏡。
【請求項２１】
前記対物レンズのコマフリー点を通って前記１次荷電粒子ビームレットのアレイのうちの１次荷電粒子ビームレットを案内するレンズモジュールおよび偏向器モジュールのうちの少なくとも１つ
をさらに備える、請求項８から１３までのいずれか１項に記載の荷電粒子ビーム装置。
【請求項２２】
前記対物レンズのコマフリー点を通って前記１次荷電粒子ビームレットのアレイのうちの１次荷電粒子ビームレットを案内するレンズモジュールおよび偏向器モジュールのうちの少なくとも１つ
をさらに備える、請求項１３から１９までのいずれか１項に記載の荷電粒子ビーム装置。
【請求項２３】
前記対物レンズのコマフリー点を通って前記１次荷電粒子ビームレットのアレイのうちの１次荷電粒子ビームレットを案内するレンズモジュールおよび偏向器モジュールのうちの少なくとも１つ
をさらに備える、請求項２０に記載のマルチカラム顕微鏡。
【請求項２４】
対物レンズアレイの前記それぞれの光軸へ前記１次荷電粒子ビームレットのアレイのうちの前記１次荷電粒子ビームレットを案内するコリメータレンズおよび偏向器アレイのうちの少なくとも１つを有するコリメータ
をさらに備える、請求項２０または２３に記載のマルチカラム顕微鏡。
【請求項２５】
前記対物レンズアレイは、個別の静電レンズおよび個別の磁気レンズのうちの１つまたは複数を備える、請求項２４に記載のマルチカラム顕微鏡。
【請求項２６】
前記個別の静電レンズは、減速電界型レンズである、請求項２５に記載のマルチカラム顕微鏡。
【請求項２７】
前記個別の磁気レンズは、共通の励磁コイルを有する、請求項２５に記載のマルチカラム顕微鏡。
【発明の詳細な説明】
【技術分野】
【０００１】
実施形態は、たとえば、検査システムの応用例、試験システムの応用例、欠陥レビューまたは限界寸法設定の応用例などに対する荷電粒子ビーム装置に関する。実施形態はまた、荷電粒子ビーム装置の動作方法に関する。より詳細には、実施形態は、汎用（生物学的構造の撮像など）および／または高スループットＥＢＩ（電子ビーム検査）のためのマルチビームシステムである荷電粒子ビーム装置に関する。具体的には、実施形態は、走査荷電粒子ビーム装置および走査荷電粒子ビーム装置による電子ビーム検査方法に関する。
【背景技術】
【０００２】
現代の半導体技術は、集積回路の生産中に使用される様々なプロセスの正確な制御に大きく依存している。したがって、ウエハは、可能な限り早期に問題の場所を突き止めるために繰り返し検査される。さらに、マスクまたはレチクルもまた、マスクがそれぞれのパターンを正確に画定することを確実にするために、ウエハ処理中に実際に使用する前に検査される。欠陥に対するウエハまたはマスクの検査は、ウエハまたはマスク領域全体を調査することを含む。特に、製造中のウエハの検査は、検査プロセスによって生産スループットが制限されないように短時間でウエハ領域全体を調査することを含む。
【０００３】
ウエハの検査には、走査電子顕微鏡（ＳＥＭ）が使用されてきた。ウエハの表面は、たとえば、個々の精巧に集束された電子ビームを使用して走査される。電子ビームがウエハに当たると、２次電子および／または後方散乱電子、すなわち信号電子が生成され、測定される。ウエハ上の１つの場所のパターン欠陥は、２次電子の強度信号と、たとえばパターン上の同じ場所に対応する基準信号とを比較することによって検出される。しかし、より高い分解能に対する要求が増大しているため、ウエハの表面全体を走査するには長い時間がかかる。したがって、この手法ではそれぞれのスループットが提供されないため、従来の（単一ビーム）走査電子顕微鏡（ＳＥＭ）をウエハ検査に使用することは困難である。
【０００４】
半導体技術におけるウエハおよびマスク欠陥検査は、全ウエハ／マスクの応用例またはホットスポット検査の両方をカバーする高分解能および高速の検査ツールを必要とする。光学ツールの分解能は制限されており、そのようなツールでは縮小し続ける欠陥サイズを取り扱うことができないため、電子ビーム検査の重要性はまずます増大している。特に、２０ｎｍのノードからその先では、関係するすべての欠陥を検出するために、電子ビームに基づく撮像ツールの高分解能の可能性が求められている。
【発明の概要】
【発明が解決しようとする課題】
【０００５】
上記を考慮して、当技術分野の問題の少なくともいくつかを克服する荷電粒子マルチビーム装置および荷電粒子のビームレットのアレイによって試験片を検査する方法が提供される。
【課題を解決するための手段】
【０００６】
上記に照らして、独立請求項に記載の荷電粒子のビームレットのアレイによって試験片を検査する方法および荷電粒子マルチビーム装置が提供される。さらなる態様、利点、および特徴は、従属請求項、説明、および添付の図面から明らかである。
【０００７】
一実施形態によれば、荷電粒子ビーム装置内で１次荷電粒子ビームレットのアレイによって試験片を検査する方法が提供される。この方法は、荷電粒子ビームエミッタによって１次荷電粒子ビームを生成することと、１次荷電粒子ビームによって表面を有する多開孔レンズ板を照射して、集束された１次荷電粒子ビームレットのアレイを生成することと、多開孔レンズ板の表面上に少なくとも第１の電極によって電界を生成することであって、少なくとも第１の電極によって提供される電界のｚ方向における電界成分が非回転対称である、生成することと、対物レンズによって試験片上の別個の場所に１次荷電粒子ビームレットを集束させ、試験片を別個の場所で同時に検査することとを含む。
【０００８】
別の実施形態によれば、１次荷電粒子ビームレットのアレイによって試験片を検査する荷電粒子ビーム装置が提供される。荷電粒子ビーム装置は、１次荷電粒子ビームレットのアレイを生成する荷電粒子ビーム源であって、荷電粒子ビームを放出する荷電粒子ビームエミッタ、および表面を有する多開孔レンズ板を含み、多開孔レンズ板は、１次荷電粒子ビームレットのアレイを生成および集束させるために少なくとも２つの開口を備え、１次荷電粒子ビームによって照射されるように配置される、荷電粒子ビーム源と、多開孔レンズ板の表面上に電界を生成する少なくとも第１の電極であり、半径方向、円周方向、および１次荷電粒子ビームまたは１次荷電粒子ビームレットが通過する開孔部を有し、円周方向に少なくとも２つの別個の電極セグメントに区分けされた少なくとも第１の電極と、１次荷電粒子ビームレットのアレイのうちの各１次荷電粒子ビームレットを試験片上の別個の場所へ集束させる対物レンズとを含む。
【０００９】
別の実施形態によれば、１次荷電粒子ビームレットのアレイによって試験片を検査する荷電粒子ビーム装置が提供される。荷電粒子ビーム装置は、１次荷電粒子ビームレットのアレイを生成する荷電粒子ビーム源であって、荷電粒子ビームを放出する荷電粒子ビームエミッタ、ならびに１次荷電粒子ビームレットのアレイを生成および集束させるために少なくとも２つの開口を備える多開孔レンズ板を含み、多開孔レンズ板は、１次荷電粒子ビームによって照射されるように配置される、荷電粒子ビーム源と、多開孔レンズ板の表面上に電界を生成する少なくとも第１の電極であり、１次荷電粒子ビームまたは１次荷電粒子ビームレットが通過する開孔部を有し、荷電粒子ビーム装置の光軸に直交する平面に対して傾斜している少なくとも第１の電極と、１次荷電粒子ビームレットのアレイのうちの各１次荷電粒子ビームレットを試験片上の別個の場所へ集束させる対物レンズとを含む。
【００１０】
別の実施形態によれば、試験片を検査するマルチカラム顕微鏡が提供される。マルチカラム顕微鏡は、１次荷電粒子ビームレットのアレイによって試験片を検査する荷電粒子ビーム装置を含み、荷電粒子ビーム装置は、荷電粒子ビーム装置のｚ方向に延びる光軸を備え、荷電粒子ビーム装置は、１次荷電粒子ビームレットのアレイを生成する荷電粒子ビーム源であり、荷電粒子ビームを放出する荷電粒子ビームエミッタ、１次荷電粒子ビームレットのアレイを生成および集束させるために少なくとも２つの開口を備える多開孔レンズ板であり、１次荷電粒子ビームによって照射されるように配置された多開孔レンズ板、ならびに多開孔レンズ板の表面上に電界を生成する少なくとも第１の電極であり、１次荷電粒子ビームまたは１次荷電粒子ビームレットが通過する開孔部を有し、荷電粒子ビーム装置の光軸に直交する平面に対して傾斜しており、かつ／または円周方向に少なくとも２つの別個の電極セグメントに区分けされた少なくとも第１の電極を含む荷電粒子ビーム源と、１次荷電粒子ビームレットのアレイのうちの各１次荷電粒子ビームレットを試験片上の別個の場所へ集束させる対物レンズとをさらに含み、マルチカラム顕微鏡は、さらなる１次荷電粒子ビームレットのアレイを生成するさらなる荷電粒子ビーム源をさらに含む。
【００１１】
実施形態はまた、開示の方法を実施する装置を対象とし、それぞれの記載の方法特徴を実行する装置部分を含む。方法特徴は、ハードウェア構成要素、適当なソフトウェアによってプログラムされたコンピュータ、これら２つの任意の組合せ、または任意の他の方法によって実行することができる。さらに、実施形態はまた、記載の装置が動作する方法を対象とする。実施形態は、装置のすべての機能を実施する方法特徴を含む。
【００１２】
上述した特徴を詳細に理解することができるように、実施形態を参照することによって、上記で簡単に要約した内容のより具体的な説明を得ることができる。添付の図面は、実施形態に関するものであり、添付の図面について以下に説明する。
【図面の簡単な説明】
【００１３】
【図１】本明細書に記載の実施形態による試験片検査のためのマルチビーム装置の概略図である。
【図２】本明細書に記載の実施形態による試験片検査のためのマルチビーム装置の概略図である。
【図３】本明細書に記載の実施形態による像面補正の有無によるビーム挙動の概略図である。
【図４】本明細書に記載の実施形態によるビームの像面補正および走査によるビーム挙動の概略図である。
【図５】本明細書に記載の実施形態による像面補正電極の概略図である。
【図６】本明細書に記載の実施形態による像面補正電極の概略図である。
【図７】本明細書に記載の実施形態による像面補正電極の概略図である。
【図８】本明細書に記載の実施形態による荷電粒子ビーム装置の部分図における像面補正電極の概略図である。
【図９】本明細書に記載の実施形態による荷電粒子ビーム装置の部分図における像面補正電極の概略図である。
【図１０】本明細書に記載の実施形態による荷電粒子ビーム装置の部分図における像面補正電極の概略図である。
【図１１】本明細書に記載の実施形態による試験片検査のためのマルチビーム装置の概略図である。
【図１２】本明細書に記載の実施形態による試験片検査のためのマルチビーム装置の概略図である。
【図１３】本明細書に記載の実施形態による荷電粒子ビーム装置のマルチカラム配置の概略図である。
【図１４】本明細書に記載の実施形態による荷電粒子ビーム装置のマルチカラム配置の概略図である。
【図１５】本明細書に記載の実施形態による荷電粒子ビーム装置によって試験片を検査する方法の流れ図である。
【発明を実施するための形態】
【００１４】
様々な実施形態を次に詳細に参照する。これらの図には、実施形態の１つまたは複数の例が示されている。以下の図面の説明の範囲内で、同じ参照番号は同じ構成要素を指す。個別の実施形態に関する違いを説明する。各例は、説明を目的として提供されており、限定であることを意味するものではない。さらに、一実施形態の一部として図示または説明する特徴を、他の実施形態でまたは他の実施形態と組み合わせて使用して、さらなる実施形態を得ることもできる。この説明は、修正および変形を含むことを意図したものである。
【００１５】
本出願の保護範囲を限定することなく、以下、荷電粒子ビーム装置またはその構成要素を例示的に、電子などの２次または後方散乱粒子の検出を含む荷電粒子ビーム装置と呼ぶ。それでもなお、実施形態は、試験片画像を得るために、電子もしくはイオン、光子、Ｘ線、または他の信号の形態の２次および／または後方散乱荷電粒子などの微粒子を検出する装置および構成要素に適用することができる。微粒子を参照するとき、微粒子は、光信号であると理解されたい。微粒子は光子ならびに粒子であり、微粒子はイオン、原子、電子、または他の粒子である。本明細書に記載するように、検出に関する議論および説明では、走査電子顕微鏡内の電子に関して例示的に説明する。様々な異なる計器内の装置によって、他のタイプの荷電粒子、たとえば陽イオンを検出することもできる。
【００１６】
他の実施形態と組み合わせることができる本明細書の実施形態によれば、信号（荷電粒子）ビームまたは信号（荷電粒子）ビームレットを、２次粒子、すなわち２次および／または後方散乱粒子のビームと呼ぶ。典型的には、信号ビームまたは２次ビームは、試験片に対する１次ビームもしくは１次ビームレットの衝突、または試験片からの１次ビームの後方散乱によって生成される。１次荷電粒子ビームまたは１次荷電粒子ビームレットは、粒子ビーム源によって生成され、検査または撮像すべき試験片上で案内および偏向される。
【００１７】
本明細書では、「試験片」または「サンプル」には、それだけに限定されるものではないが、半導体ウエハ、半導体加工物、フォトリソグラフィマスク、およびメモリディスクなどの他の加工物などが含まれる。実施形態は、材料がその上に堆積するまたは構造化される任意の加工物に適用することができる。試験片は、構造化すべき表面、または層を堆積させる表面、端面、および典型的には斜角を含む。本明細書に記載の他の実施形態と組み合わせることができるいくつかの実施形態によれば、装置および方法は、電子ビーム検査、限界寸法設定の応用例、および欠陥レビューの応用例に構成または適用される。
【００１８】
荷電粒子ビーム装置の一実施形態が、図１に概略的に示されている。荷電粒子ビーム装置１００は、荷電粒子ビーム源１１０を含み、荷電粒子ビーム源１１０は、１次荷電粒子ビーム１４を放出する粒子ビームエミッタ１１１を含む。本明細書に記載の実施形態によれば、荷電粒子ビーム源１１０は、１次荷電粒子ビームレット１５のアレイを生成するように適合される。荷電粒子ビーム源１１０は、荷電粒子ビームエミッタ１１１および多開孔レンズ板１１３を含むことができる。図１に示す実施形態などのいくつかの実施形態では、加速電極１９９に供給される加速電圧（荷電粒子ビームエミッタ１１１と加速電極１９９との間の電圧差）によって、１次荷電粒子ビーム１４を加速させることができる。本明細書に記載の実施形態によれば、荷電粒子ビーム装置は、第１の電極１１２、たとえば少なくとも第１の電極１１２を含む。図１の実施形態では、荷電粒子ビームエミッタ１１１と多開孔レンズ板１１３との間に配置された第１の電極１１２が、例示的に示されている。他の実施形態によれば、第１の電極１１２はまた、多開孔レンズ板１１３の下（伝播する荷電粒子ビームレットの方向に見たとき）に配置することができる。
【００１９】
本明細書に記載の実施形態によれば、荷電粒子ビーム装置の第１の電極、または荷電粒子ビーム装置の少なくとも第１の電極はそれぞれ、多開孔レンズ板の表面上に電界を生成するように適合および駆動される。多開孔レンズ板１１３の表面は、図１に参照符号１１４で示されている。いくつかの実施形態によれば、表面１１４は、第１の電極１１２に対向する多開孔レンズ板の表面とすることができる。たとえば、第１の電極が多開孔レンズ板の前（図１に示す伝播するビームレットまたは伝播する１次荷電粒子ビーム１４の方向）に配置される場合、第１の電極が電界を生成する表面は、多開孔レンズ板の上面（図１に参照番号１１４で示す）である。別法として、第１の電極が多開孔レンズ板の下（伝播する１次荷電粒子ビームレット１５または伝播する１次荷電粒子ビーム１４の方向）に配置される場合、第１の電極が電界を生成する表面は、多開孔レンズ板の下面である。
【００２０】
ビームエミッタ、多開孔レンズ板、および第１の電極を含む荷電粒子ビーム源１１０を、荷電粒子ビーム装置の上部と呼ぶことができる。荷電粒子ビーム装置１００は例示的に、レンズ１２０、対物レンズ１３０、および試験片ステージ１４１をさらに含み、試験片ステージ１４１上に試験片１４０を配置することができる。レンズ１２０、対物レンズ１３０、および試験片ステージ１４１は、荷電粒子ビーム装置の下部の一部として説明することができる。
【００２１】
本明細書に記載の実施形態によれば、荷電粒子ビーム装置の第１の電極は、上述したように多開孔レンズ板の表面上に電界を生成するように適合および駆動される。本明細書に記載の実施形態によれば、ｚ成分を有する電界は、第１の電極１１２と多開孔レンズ板１１３との間の電圧差によって生成される。電界は、荷電粒子ビーム装置のｚ方向に延びるｚ成分を有することができる。いくつかの実施形態によれば、荷電粒子ビーム装置のｚ方向は、図１の荷電粒子ビーム装置１００の左の座標系で例示的に見ることができるように、光軸に沿って延びることができる。本明細書に記載の実施形態によれば、第１の電極によって提供されるｚ方向における電界の成分は、多開孔レンズ板の表面上で非回転対称である。たとえば、電界の強度は、多開孔レンズ板の表面の平面にわたって変動する。いくつかの実施形態によれば、第１の電極によって提供される電界のｚ成分が非回転対称であることは、電界の強度を変化させることなく電界のｚ成分を固定点の周りで回転させることができないことを意味することができる。
【００２２】
多開孔レンズ板の表面上の電界のｚ成分の非回転対称は、特に以下のように、少なくとも２つの電極による像面湾曲補正と組み合わせることができる。たとえば、本明細書に記載の実施形態による電界のｚ成分の構成は、１つの電極配置（たとえば、特に図５〜７に関して以下で詳細に説明するように、１つの区分けされた電極のみ）によって、または多開孔レンズ板の前後で電極の場所に関して分離された構成（図１、図２、および図１１の構成に関して詳細に説明する）で実現することができる。
【００２３】
いくつかの実施形態によれば、第１の電極によって生成される電界は、いくつかの作用を有することができ、異なる状況に使用することができる。本明細書に記載の実施形態による荷電粒子ビーム装置内の多開孔レンズ板の表面上の第１の電極の可変電界の１つの応用例は、第１の電極を使用して、荷電粒子ビーム装置の像面湾曲、特に荷電粒子ビーム装置の撮像レンズによって導入される像面湾曲を補償または補正することである。いくつかの実施形態によれば、像面湾曲を補償または補正するために、２つ以上の電極を使用することができる。いくつかの実施形態では、少なくとも第１の電極は、伝播する１次荷電粒子ビームまたは１次荷電粒子ビームレットの方向に見たとき、荷電粒子ビーム装置の多開孔レンズ板の下流に配置されている荷電粒子ビーム装置の撮像レンズによって導入される像面湾曲を補償または補正するために使用することができる。特に、少なくとも１つの電極は、以下で詳細に説明するように、荷電粒子ビーム装置の対物レンズによって導入される像面湾曲を補償または補正するために使用することができる。いくつかの実施形態によれば、多開孔レンズ板の表面上に電界の非回転のｚ成分を提供する第１の電極を使用して、サンプル傾斜および傾斜したサンプルからくる作用を補償することができる。たとえば、以下で詳細に説明するように、可変の電界を使用して、サンプル上のビームスポットの誤差を補償することができる。
【００２４】
本明細書に記載の実施形態による荷電粒子ビーム装置および荷電粒子ビーム装置によって試験片を検査する方法は、試験片上に小さいスポットサイズの１次荷電粒子ビームレットを提供する。スポットサイズは、個々の１次荷電粒子ビームレットによって照射される試験片上の領域の直径であると理解することができる。たとえば、本明細書に記載の実施形態による１次荷電粒子ビームレットのアレイのうちの個々の１次荷電粒子ビームレットのスポットサイズは、典型的には２０ｎｍ未満、より典型的には１０ｎｍ未満、さらに典型的には５ｎｍ未満とすることができる。いくつかの実施形態によれば、個々の１次荷電粒子ビームレットは、高い電流密度を有することができる。高い電流密度は、撮像品質を増大させるのに役立つ。本明細書に記載の実施形態によるビーム源によって１次荷電粒子ビームレットのアレイが生成されるため、撮像のための総電流が増大し、スループットが改善される。
【００２５】
いくつかの実施形態によれば、本明細書に記載の荷電粒子ビーム装置は、電界を生成する２つ以上の電極を有することができる。図２は、２つ以上の電極を有する一実施形態を例示的に示す。本明細書に記載の実施形態によれば、荷電粒子ビーム装置は、電極１１２−１および１１２−２を含む（２つの電極を例示的に示す）。いくつかの実施形態によれば、第１の電極は、開孔レンズを作り出す電界を与えるために使用することができ、第２の電極は、像面湾曲補正電極として使用することができる。いくつかの実施形態、特に２つ以上の電極を有する実施形態では、多開孔レンズ板に最も近い電極である電極を、本明細書に記載の実施形態による第１の電極と呼ぶことができる。図２では、電極１１２−２が、本明細書に記載の実施形態による第１の電極と呼ばれるはずである。いくつかの実施形態では、２つ以上の電極は、電界を提供するようにともに作用することができ、電界のｚ成分は、多開孔レンズ板の表面上で非回転対称である。図２の実施形態では、荷電粒子ビームエミッタ１１１と多開孔レンズ板１１３との間に配置された電極１１２−１および１１２−２が、例示的に示されている。さらに、いくつかの実施形態によれば、荷電粒子ビーム装置１００は、走査偏向器１５０を含むことができる。走査偏向器１５０は、１２０と試験片ステージ１４１との間に提供することができる。特に、対物レンズ１３０の磁極片アセンブリによって取り囲まれている、かつ／または静電レンズの電極の位置にある、走査偏向器を提供することができる。図２は、本開示の他の実施形態と組み合わせることができる一実施形態を示し、走査偏向器は、減速レンズの上部電極を備えている。
【００２６】
像面補正電極の作用が、図３および図４に例示的に示されている。図３は、矢印として示されている１次荷電粒子ビームレット１５の概略図を示す。図３の上部では、荷電粒子の３つの隣接するビームレットを示す３つの矢印が、破線で示す曲線２００に沿って分布されて配置されまたは前進している。たとえば、本明細書に記載の実施形態による像面湾曲補正電極により、１次荷電粒子ビームレット１５は、曲線２００上に分布されて伝播する。図３に曲線２００として示されている像面湾曲補正は、荷電粒子ビーム装置内のレンズ（対物レンズなど）の像面湾曲作用を補償するために使用することができる。ビームレットが伝播する電界に対するレンズの影響が、図３の右下の図面に例示的に示されている。荷電粒子ビーム装置内のレンズによる影響を受ける電界は、図３に概略的に示す曲線２１０に沿ってビームレットの分布をもたらす。いくつかの実施形態によれば、ビームレットが分布される曲線は、放物線状の曲線とすることができる。曲線に沿ってビームレットが分布される形状のため、このレンズの作用は、像面湾曲作用であると説明することができる。
【００２７】
図３の左下の図面では、荷電粒子ビーム装置内のレンズによって導入される像面湾曲が、本明細書に記載の実施形態による１つまたは複数の電極によって補正されている。いくつかの実施形態では、多開孔レンズ板上に電界の非回転対称のｚ成分を提供する１つまたは複数の電極を、像面湾曲補正電極または焦点補正電極と呼ぶことができる。たとえば、焦点補正電極は、曲線２００によって示す像面湾曲補正のために使用することができ、電極は、レンズの像面湾曲２１０を補償する。補償の結果、図３に破線として示す焦点面２２０が得られる。図３に示す状況は、全体的像面補正であると説明することができる。すべてのビームレットが、実質上同じ平面において同じエネルギーで同時に試験片に当たる。その結果、撮像の精度および撮像の信頼性が増大する。
【００２８】
図４では、上部の図面は、曲線２００を参照する図３の上部の図面に類似している。特に、図４の上部の図面は、像面湾曲補正が導入され、１次荷電粒子ビームレット１５が湾曲した形に沿って分布されて伝播する状況を示す。曲線２００は、破線で示されている。図４の下部の図面は、１次荷電粒子ビームレット１５がさらに（像面湾曲に加えて）、走査偏向器によって試験片の上でビームレットを走査させる走査場にかけられる状況を示す。全体的像面湾曲（図３に関して説明した）後の焦点面（線２２０）が、破線で示されている。荷電粒子ビーム装置内の走査場のため、軸外ビームレットが、曲線２３０に沿って、上、下、左、右、または前述の方向の組合せ（図４に方向矢印２４０で示す）に擬似シフトされる。走査中、試験片上のビームレットのスポットの焦点が外される。中央のビームレット（軸上ビームレットとも呼ぶ）は、最も低い偏差を有し、最も外側のビームレットは、中央のビームレットより高い偏差を有する。試験片の個々の点を正確に撮像することができ、より多くのビームが使用されるほど、中央にないビームレットに対する偏差がより大きくなる。いくつかの実施形態によれば、中央のビームレットも曲線２５０に沿ってシフトさせることができ、矢印２４０（走査中の焦点ずれ領域を示す）によって例示的に示すように、中央のビームの焦点ずれは対称になるはずである（軸外ビームの焦点ずれとは異なる）。曲線に沿ってビームレットをシフトさせることで、荷電粒子ビーム装置の撮像精度が減少する。特に、図４に見ることができるように、破線の曲線２３０は、２つの外側ビームレットに対する全体的補正によって引き起されるシフトさせた像面湾曲放物線を示す。走査中、２つの外側ビームレットの焦点が、シフトさせた像面湾曲曲線２３０に沿って非対称に外される。２つの外側ビームの焦点ずれ範囲が、外側の２重矢印２４０によって示されている。放物線状の挙動のため、非対称の焦点ずれは、中心の焦点ずれより大きい。動的像面湾曲補正により、新しい仮想中心から矢印方向に沿って続く動的焦点が加えられる。たとえば、特にサンプル上の１次荷電粒子ビームレットの走査と同期して、動的像面湾曲補正（特に、１次荷電粒子ビームレットの走査によって導入される像面湾曲の補正）を実行することができる。本明細書に記載の他の実施形態と組み合わせることができるいくつかの実施形態によれば、荷電粒子ビーム装置内で１次荷電粒子ビームレットのアレイによって試験片を検査する方法は、走査偏向器によって試験片の上で１次荷電粒子ビームレットを走査させることを含むことができ、少なくとも第１の電極によって電界を生成することは、動的像面湾曲補正を実行することを含む。
【００２９】
いくつかの実施形態によれば、試験片が傾斜して提供されるとき、図４に示すのに類似の状況が生じることがある（荷電粒子ビーム装置の光軸に実質上直交する平面内の試験片の配置と比較）。傾斜したサンプルの結果、中心の１次荷電粒子ビームレットに対して一方の側がより高くなり、他方の側がより低くなる。いくつかの実施形態によれば、第１の電極によるサンプル傾斜作用の補正を、「静的補正」であると説明することができる。サンプル傾斜によって焦点を外す際、荷電粒子ビーム装置のレンズは像面湾曲を導入する。ビームレットが試験片に当たる試験片上のスポットの焦点を外すことができる。スポットの焦点を外す結果、撮像品質が低くなる可能性がある。
【００３０】
３つのビームレットに対する全体的／静的像面湾曲補正後の焦点面が、線２２０に示されている。像面湾曲補正装置後にビームレット走査が行われた場合、補正された場所からのすべてのビームレット位置偏差は、シフトさせた像面湾曲曲線をたどる焦点ずれをもたらす。像面湾曲曲線シフトは、全体的像面湾曲補正によって決定される。その結果得られる焦点ずれ作用が、矢印２４０によって示されている。２つの外側の１次荷電ビームレットに対する本明細書に記載の実施形態による動的像面補正が、図４に示されている。特に、動的像面補正はまた、走査場による焦点スポットの偏差を考慮に入れることができる。傾斜した試験片の場合、像面湾曲補正電極の静的動作を使用することができる。
【００３１】
本明細書に記載の実施形態によれば、本明細書に記載の電極および１次荷電粒子ビームレットのアレイによって試験片を検査する方法は、荷電粒子ビーム装置内のレンズによって導入される像面湾曲を補正することを可能にし、同時に試験片上のビームレットの焦点スポットに対する走査場の影響を回避する。本明細書に記載の実施形態は、走査場を考慮に入れた像面湾曲の動的補正を指す。特に、本明細書に記載の実施形態では、特に動的補正によって、像面湾曲の非対称の補正を提供することができる。たとえば、非対称の補正は、走査場および／または傾斜した試験片の場合に有益となることができる。
【００３２】
本明細書に記載の実施形態によれば、本明細書に記載の電極および１次荷電粒子ビームレットのアレイによって試験片を検査する方法は、像面湾曲ならびに走査場の影響および／または傾斜した試験片の影響を補償するために、追加の「ウェッジエラー」（幾何学的配置に関する）を導入することができる。たとえば、本明細書に記載の実施形態による像面湾曲補正電極および１次荷電粒子ビームレットのアレイによって試験片を検査する方法は、荷電粒子ビーム装置内のレンズおよび走査場と同じ（または少なくとも類似の）作用を提供することができる。特に、荷電粒子ビーム装置における電極の設計、電極の制御、および電極の配置は、図５〜１０に関して以下に例示的に説明する前述の作用を提供することを可能にする。
【００３３】
図５は、焦点補正装置、たとえば本明細書に記載の実施形態による像面湾曲補正装置の電極の一実施形態を示す。本明細書に記載の他の実施形態と組み合わせることができるいくつかの実施形態では、本明細書に記載の実施形態による電極（特に像面湾曲補正に使用される）を、像面湾曲補正電極と呼ぶことができる。電極６００は、半径方向６１０、円周方向６１１、および１つまたは複数の開孔部６１２を有し、１次荷電粒子ビームまたは１次荷電粒子ビームレットは、開孔部６１２を通過する（像面湾曲補正電極の場所に応じて）。図５の電極は、円周方向に２つの別個の電極セグメント６０１および６０２に区分けされる。いくつかの実施形態によれば、本明細書に示す区分けされた電極は、双極子、４極子、またはより高次の極を提供することができる。
【００３４】
本明細書に記載のいくつかの実施形態によれば、本明細書に記載の電極のセグメントは、電極、特に像面湾曲補正電極をともに形成する。たとえば、セグメントは、セグメント間の間隙によって物理的に分離することができ、セグメントは、電極をともに形成する。いくつかの実施形態によれば、電極のセグメントは、個別に制御可能とすることができる。たとえば、電極のセグメントは、別個の電力供給（図６に例示的に図示および説明する）に個別に接続することまたは接続可能とすることができる。個々のセグメントを個別に（かつ動的に）制御することで、像面湾曲および走査場（図４に関して上記で説明した）による試験片上の焦点を外したスポットの補正が可能になる。特に、区分けされた電極（および／または図８〜１０に関して以下で説明するように、像面湾曲補正電極の傾斜した配置）は、多開孔レンズ板の表面上の荷電粒子ビーム装置の光軸（図１の光軸４など）に直交する平面内で変動する電界強度、または非回転対称の多開孔レンズ板上のｚ成分を有する電界強度を提供する。区分けされた電極の場合、荷電粒子ビーム装置の光軸に直交する平面内の電界強度は、個別に制御することができる電極の別個のセグメントにより、多開孔レンズ板の表面上で変動する。
【００３５】
いくつかの実施形態によれば、電極の個々のセグメントは、（特に個別かつ／または動的に）制御することができ、非対称の像面補正を生成する電界強度を提供することができる。特に、走査場または走査場の変化に応じて、非対称の像面補正を行うことができる。本明細書に記載の他の実施形態と組み合わせることができるいくつかの実施形態では、電極および走査場を提供する走査装置は、コントローラまたは制御ユニットに接続することができる。コントローラまたは制御ユニットは、走査装置から受け取ったデータに基づいて、個々のセグメントに供給される電力を計算（および制御）することが可能である。特に、本明細書に記載の実施形態による電極による動的像面湾曲補正は、走査装置を有する本明細書に記載の実施形態による電極によって提供される電界強度と同期して実行することができる。
【００３６】
一例では、図５に示す電極６００は、次のように制御することができる。セグメント６０１には、電圧Ｕ＋ｃ＊Ｕscan xを供給することができ、セグメント６０２には、電圧Ｕ−ｃ＊Ｕscan xを供給することができる。電圧「Ｕ」は、焦点補正または全体的像面湾曲補正のために供給される標準電圧とすることができる。静電走査装置の場合、走査電圧に応じて、Ｕscanの加算または減算を供給することができ、補正係数「ｃ」を考慮することができる。全体的像面湾曲補正電圧に対して電圧Ｕscanを加算または減算するとき、走査電圧のｘおよびｙ方向を考慮することができる。
【００３７】
図６は、４つのセグメント６０１、６０２、６０３、および６０４を有する電極６００の一実施形態を示す。セグメント６０１、６０２、６０３、および６０４はそれぞれ、別個の電力供給６２１、６２２、６２３、および６２４にそれぞれ接続される。セグメント６０１には、電圧Ｕ＋ｃ＊Ｕscan xを供給することができ、セグメント６０２には、電圧Ｕ−ｃ＊Ｕscan yを供給することができ、セグメント６０３には、電圧Ｕ−ｃ＊Ｕscan xを供給することができ、セグメント６０４には、電圧Ｕ＋ｃ＊Ｕscan yを供給することができる。電圧「Ｕ」は、焦点補正または全体的像面湾曲補正のために供給される標準電圧とすることができる。図６に例示的に示す電極は、４極子を提供する。図７では、８つの別個のセグメント６０１〜６０８に区分けされた電極６００によって、８極子が提供される。多極子（図示の８極子など）として提供される電極の結果、より均質な偏向場分布を得ることができる。本明細書に記載の実施形態による電極の多極子設計は、より精密な補正および走査装置との同期を可能にすることができる。多極子の形態で提供される電極は、増大された性能を与え、撮像品質を改善することができる。本明細書に記載の実施形態は、電極の図示の例に限定されるものではない。たとえば、本明細書に記載の実施形態による電極は、電極の１２極設計を提供する１２個のセグメントなど、８つより多いセグメントに区分けすることができる。
【００３８】
本明細書に記載の他の実施形態と組み合わせることができるいくつかの実施形態によれば、２つ以上の電極が提供される場合（たとえば、図２に示す）、電極のいずれか一方または両方を、区分けして提供することができる。いくつかの実施形態では、第１の電極を、区分けされた設計で提供することができる。本明細書に記載の他の実施形態と組み合わせることができるいくつかの実施形態によれば、本明細書に記載の実施形態による電極に対する各電極のセグメントの配置、順序、または数に関して制限はない。
【００３９】
本明細書に記載のいくつかの実施形態によれば、像面湾曲補正装置は、少なくとも第１の像面湾曲補正電極および第２の像面湾曲補正電極を含むことができる。像面湾曲補正装置の第１の像面湾曲補正電極および第２の像面湾曲補正電極は、別個に配置すること、個別に設計すること、および／または個別に制御することができる。
【００４０】
図８は、本明細書に記載の実施形態による荷電粒子ビーム装置の上部を示す。荷電粒子ビーム装置は、第１の像面湾曲補正電極１１２−１および第２の像面湾曲補正電極１１２−２を含む像面湾曲補正装置を含む。図８では、多開孔レンズ板１１３に最も近い電極１１２−１を第１の電極または第１の像面湾曲補正電極と呼ぶ。図８に示す例では、第１の像面湾曲補正電極１１２−１は、荷電粒子ビーム装置の光軸４に実質上直交する平面に対して傾斜している。たとえば、第１の電極１１２−１の傾斜によって、電極は、多開孔レンズ板１１３の表面上に電界を提供することができ、電界のｚ成分は非回転対称である。本明細書に記載の他の実施形態と組み合わせることができるいくつかの実施形態では（たとえば追加として）、第２の像面湾曲補正電極を傾斜させることができることが理解されよう。図８の例では、第１の像面湾曲補正電極１１２−１は、図８の横に示す座標系に見ることができるように、ｘ方向に傾斜している。図８に示す実施形態では、第１の像面湾曲補正電極１１２−１および第２の像面湾曲補正電極１１２−２はどちらも、多開孔レンズ板１１３の前に位置している。電極の電界が提供される多開孔レンズ板１１３の表面は、第１の電極１１２−１に対向する表面１１４である。像面湾曲補正装置の電極のうちの少なくとも１つを傾斜させることによって、たとえば傾斜した試験片に対する像面湾曲補正が可能になる。いくつかの実施形態では、傾斜した電極は、走査場の場合（特に、第１の電極によって生成される電界の動的電界強度を使用するとき）、動的像面湾曲補正のために使用することができる。いくつかの実施形態によれば、電界強度を動的に制御することによって、ウェッジ作用の量に影響を与えることができる。
【００４１】
図９は、本明細書に記載のいくつかの実施形態による荷電粒子ビーム装置の上部を示す。図９に示す荷電粒子ビーム装置は、第１の像面湾曲補正電極１１２−１および第２の像面湾曲補正電極１１２−２を含む。どちらの像面湾曲補正電極も、伝播するビームレットの方向で、多開孔レンズ板１１３の下に配置される。電極１１２−１および１１２−２の電界は、伝播するビームレットの方向に見たとき、多開孔レンズ板１１３の下面（図９に示す配置の場合）である多開孔レンズ板の表面１１４上に提供される。第１の像面湾曲補正電極１１２−１は、光軸４に実質上直交する平面に対して傾斜している。多開孔レンズ板１１３の前および下の像面湾曲補正電極の配置は、特に図１および図１１に関して以下で詳細に説明する。図８および図９の例では、像面湾曲走査補正がｘ方向に行われる。
【００４２】
図１０は、荷電粒子ビーム装置が４つの像面湾曲補正電極１１２−１、１１２−２、１１２−３、および１１２−４を含む一実施形態を示す。２つの像面湾曲補正電極、像面湾曲補正電極１１２−１および１１２−２は、多開孔レンズ板１１３の前に配置される。２つの像面湾曲補正電極、像面湾曲補正電極１１２−３および１１２−４は、多開孔レンズ板１１３の下（伝播するビームレットの方向）に配置される。図１０の例では、第１の像面湾曲補正電極１１２−１が、ｘ方向に傾斜している。第３の像面湾曲補正電極１１２−３は、ｙ方向に傾斜している。像面湾曲補正電極をｘおよびｙ方向に傾斜させることによって、ｘおよびｙ方向におけるサンプル傾斜の像面湾曲補正を実行することができる。
【００４３】
本明細書に記載の他の実施形態と組み合わせることができるいくつかの実施形態によれば、電極の傾斜は、図示の例に限定されるものではない。たとえば、第２の電極に対する別法または追加として、第１の電極を傾斜させることができる。いくつかの実施形態では、ｙ方向に傾斜している電極のみを提供することが可能である（図８および図９に示すｘ方向の傾斜に対する別法または追加として）。任意の方向において傾斜した像面湾曲補正電極および傾斜していない像面湾曲補正電極の任意の他の組合せが可能である。いくつかの実施形態によれば、傾斜した像面湾曲補正電極と、区分けされた像面湾曲補正電極とを組み合わせることが可能である。
【００４４】
本明細書に記載の任意の構成において、電極のうちの１つまたは複数は、上述しかつ図５〜７に例示的に示したように区分けすることができることが理解されよう。傾斜した電極および区分けされた電極の任意の組合せが、実施形態の範囲内で可能である。たとえば、いくつかの実施形態では、傾斜した電極および傾斜していない電極の組合せ、または区分けされた電極および区分けされていない電極の組合せを提供することができる。いくつかの実施形態によれば、傾斜した電極または区分けされた電極は、多開孔レンズ板に最も近い電極（荷電粒子ビーム装置の電極の中で）とすることができる。
【００４５】
図１に戻って、荷電粒子ビーム装置１００の要素のさらなる詳細について、以下に説明する。たとえば、本明細書に記載の荷電粒子ビームエミッタは、冷電界エミッタ（ＣＦＥ）、ショットキーエミッタ、ＴＦＥ、または別の高電流高輝度荷電粒子ビーム源（電子ビーム源など）とすることができる。高電流とは、１００ｍｒａｄで約３００μＡなど、１００ｍｒａｄ以上で５μＡ、たとえば最大５ｍＡ、たとえば１００ｍｒａｄで３０μＡから１００ｍｒａｄで１ｍＡであると考えられる。いくつかの実装形態によれば、電流は、特に線形または方形アレイの場合、たとえば±１０％の偏差で本質的に均一に分布される。
【００４６】
本明細書に記載の他の実施形態と組み合わせることができるさらなる実施形態によれば、大きいビーム電流を提供することが可能なＴＦＥまたは別の高還元輝度源、たとえば電子ビーム源とは、放出角度を増大させて最大１０μＡ〜１００μＡ、たとえば３０μＡを提供するとき、輝度が最大値の２０％を超えて減少しない光源である。
【００４７】
図１および図２に示す例では、図１および図２に示す実施形態で１次荷電粒子ビーム１４を減速させるように駆動させることができる電極が示されている。電極は、荷電粒子ビームエミッタ１１１と多開孔レンズ板１１３との間に配置することができる（たとえば、図８にも示す）。本明細書に記載のいくつかの実施形態によれば、電極１１２−１（図２の実施形態では、さらに１１２−２）は、１次荷電粒子ビーム１４が通過することができる開孔部を有する。
【００４８】
本明細書に記載の他の実施形態と組み合わせることができるいくつかの実施形態によれば、電極は、上述したように、荷電粒子ビーム装置の１つまたは複数のレンズによって導入される像面湾曲を補償するように、調整可能、適合可能、および／または制御可能（たとえば、コントローラによって）とすることができる。特に、電極は、荷電粒子ビーム装置のそれぞれの動作、荷電粒子ビーム装置の所期の用途、または荷電粒子ビーム装置内で使用することができる可変のレンズ構成およびレンズ強度に合わせて調整可能とすることができる。たとえば、電極に供給される電圧は、たとえば制御ユニットおよびそれぞれの制御システム（制御ユニットから電極の電圧供給への信号線など）によって、調整可能とすることができる。
【００４９】
いくつかの実施形態によれば、本明細書の電極は、マクロ電極とすることができる。いくつかの実施形態では、荷電粒子ビーム源の荷電粒子ビームエミッタは、１次荷電粒子ビームに抽出電圧を提供する１つまたは複数の抽出電極を含むことができる。いくつかの実施形態によれば、（像面湾曲補正）電極は、電極からの電界が多開孔レンズ板で終わり、個々の１次荷電粒子ビームレットに対して低収差単開孔レンズを形成することができるように構成および／または制御することができる。
【００５０】
図１の実施形態では、１次荷電粒子ビーム１４は、荷電粒子ビームエミッタ１１１を離れ、第１の電極１１２を通過した後、多開孔レンズ板１１３を通過することができる。１次荷電粒子ビーム１４は、複数の開孔部を有する多開孔レンズ板１１３を通過することができ、減速電界によってビームレットに集束させることができる。開孔部は、線、長方形、正方形、リング、または任意の好適な１次元もしくは２次元のアレイなど、任意のアレイ構成で、多開孔レンズ板１１３上に位置することができる。本明細書に記載の実施形態によれば、本明細書に記載の荷電粒子ビーム装置では、像面湾曲または収差による欠点を有することなく、多開孔レンズ板の開孔部を任意の構成で配列することが可能である。たとえば、知られているシステムでは、異なるビームレットをリング形状に配置して、放物線のように作用するレンズを通過するすべてのビームに同じ条件を提供する。ビームレットをリング形状に配置するとき、それぞれのレンズの像面湾曲の影響を最小にすることができる。本明細書に記載の実施形態による荷電粒子ビーム装置によって、任意の配置、たとえば高速検査に好適な配置、検査すべき試験片構造に適合された配置、多数のビームを可能にする配置、ビーム強度に適合された配置などで、ビームレットアレイの配置を行うことができる。たとえば、ビームレットアレイは、線、長方形、または正方形で配置することができる。
【００５１】
多開孔レンズ板１１３を１次荷電粒子ビーム１４で照射することによって、開孔板の前の減速電界を使用することによって、いくつかの集束された１次荷電粒子ビームレット１５が作り出される。１次荷電粒子ビームレット１５の焦点面内に、レンズ１２０を配置することができる。いくつかの実施形態によれば、レンズ１２０は、特に像面湾曲補正電極が減速モードで駆動され、多開孔レンズ板の前に配置される（伝播する１次荷電粒子ビームの方向に見たとき）場合、加速レンズとすることができる。いくつかの実施形態では、加速レンズ（または他の実施形態では、図１１に見ることができるように減速レンズ）として提供されるレンズ１２０は、静電または磁気静電複合レンズとすることができる。いくつかの実施形態では、レンズ１２０は、磁気レンズとして提供することができる。
【００５２】
これらの図では、１次荷電粒子ビームレットのアレイのうちの１次荷電粒子ビームレットのいくつかが、レンズの後に示されており、他の１次荷電粒子ビームレットは、概要をより見やすくするために、図面では省略されている。本明細書に記載のいくつかの実施形態によれば、開孔部を有する多開孔レンズ板は、１次荷電粒子ビームレットに対する実際の光源を生成するように提供される。
【００５３】
いくつかの実施形態では、多開孔レンズ板１１３は、荷電粒子ビームエミッタ１１１によって直接照射することができる。いくつかの実施形態によれば、「直接」とは、多開孔レンズ板の前（伝播する１次荷電粒子ビームの方向に見たとき）に第１の電極を有する実施形態における第１の電極を除いて、荷電粒子ビームエミッタ１１１と多開孔レンズ板との間に追加の光学素子は提供されないことを意味することができる。多開孔レンズ板は、荷電粒子ビームエミッタによって放出される１次荷電粒子ビーム１４を１次荷電粒子ビームレット１５のアレイに分割する。たとえば、多開孔レンズ板は、１次荷電粒子ビームを少なくとも３つの１次荷電粒子ビームレットに分割するために、少なくとも３つの開孔部を有する。図１に示す例では、７つの１次荷電粒子ビームレット１５が概略図に示されている。いくつかの実施形態では、１次荷電粒子ビームレットのアレイは、１次元（線）のアレイもしくは２次元のアレイ（たとえば、４×４、３×３、５×５）、または非対称のアレイ、たとえば２×５で配置することができる。本明細書に記載の実施形態は、これらのアレイの例に限定されるものではなく、１次荷電粒子ビームレットの任意の好適なアレイ構成を含むことができる。
【００５４】
記載の多開孔レンズ板は、荷電粒子ビーム装置、荷電粒子ビーム装置のアレイを含むシステム、および荷電粒子ビーム装置を動作させる方法に関する他の実施形態でも、有益に使用することができる。多開孔レンズ板の設計は、異なる基準に従うことが有益であり、全体的な荷電粒子の光線経路設計の文脈で扱われなければならない。本明細書に記載の他の実施形態と組み合わせることができるいくつかの実施形態では、多開孔レンズ板は、以下の特徴のうちの１つまたは複数を備えることができる。開孔部の数は、可能な限り最大の総電流と、光学性能、特に可能な限り最大のビームレット場における実現可能なスポットサイズとの間の妥協である。別の境界条件は、クロストークが低減または回避される検出器上の信号ビームレット分離を保証する試験片上のビームレット分離である。本明細書に記載の他の実施形態と組み合わせることができるさらなる実施形態によれば、格子構成（すなわち、試験片上の１次ビームレットの位置および／または開孔板内の開孔部の位置）は、走査中に基板表面を完全にカバーすることを可能にするように提供される。カバー範囲は、たとえばｘｙ方向における純粋な荷電粒子ビームレットの走査に限定されるものではなく、たとえばｘ方向などの第１の方向における荷電粒子ビームレット走査、および第１の方向とは異なるｙ方向などの別の方向におけるステージの運動のような混合走査動作も含む。
【００５５】
本明細書に記載の実施形態によれば、１次荷電粒子ビームレット１５は、レンズ１２０の方へ誘導される。たとえば、レンズ１２０は、多開孔レンズ板から伝播する１次荷電粒子ビームレット１５を加速させる加速レンズとすることができる。いくつかの実施形態では、レンズは、伝播する１次荷電粒子ビームレットのアレイの方向で、多開孔レンズ板１１３の後に直接配置される。この文脈で、「直接」という用語は、多開孔レンズ板とレンズとの間に追加のビーム光学素子が配置されないことを意味することができる。伝播する１次荷電粒子ビームの方向で像面湾曲補正電極が多開孔レンズ板の前に配置される実施形態では、レンズ１２０は、１次荷電粒子ビームレット１５を高いカラム電圧へ加速させるために使用することができる。たとえば、加速レンズは、１次荷電粒子ビームレットを、典型的には１０ｋＶより大きい、より典型的には２０ｋＶより大きいのカラム電圧へ加速させることができる。加速電圧は、荷電粒子ビームレットの荷電粒子がカラムへ進む速度を決定することができる。一例では、加速レンズは、静電レンズとすることができる。本明細書に記載の実施形態によれば、加速レンズは、１次荷電粒子ビームレットを、荷電粒子ビーム装置の対物レンズのコマフリー点（またはその付近）へ誘導することができる。
【００５６】
以下で詳細に説明するいくつかの実施形態によれば、レンズ内またはその付近に、偏向器アレイ（図示せず）を配置することができる。いくつかの実施形態によれば、偏向器アレイがレンズ「もしくはその付近」またはレンズ「内」に配置されるということは、偏向器アレイがレンズの焦点距離内に配置されることであると理解することができる。たとえば、レンズは、３つの電極を含むことができ、偏向器アレイは、３つの電極内に配置することができる。いくつかの実施形態によれば、偏向器アレイは、レンズの３つの電極のうちの中央の電極の高さにほぼ配置することができる。
【００５７】
いくつかの実施形態によれば、レンズは、１次荷電粒子ビームレットの誘導、たとえば、対物レンズのコマフリー点への１次荷電粒子ビームレットの誘導という主な効果を実現するために使用することができる。いくつかの実施形態では、偏向器アレイは、個別の１次荷電粒子ビームレットの微調整、特に対物レンズのコマフリー点内へまたは対物レンズのコマフリー点を通って案内すべき１次荷電粒子ビームレットの微調整のために使用することができる。レンズ（および偏向器アレイ、もしあれば）が１次荷電粒子ビームレットを対物レンズのコマフリー点へ案内するように構成されるということは、１次荷電粒子ビームレットを対物レンズのコマフリー点に案内するように、レンズの焦点距離、レンズに供給される電圧、偏向器アレイに供給される電圧、偏向器アレイのサイズ、偏向器アレイのうちの個々の偏向器のサイズを選択することができることであると理解することができる。荷電粒子ビーム装置は、レンズおよび偏向器アレイの動作パラメータを制御するコントローラ（たとえば、フィードバックループ内で接続もしくは一体化されたコントローラ、または荷電粒子ビーム装置の動作を監視する監視装置）を含むことができる。
【００５８】
本開示全体にわたって、「コマフリー面」または「コマフリー点」という用語は、対物レンズのうち、１次荷電粒子ビームレットがコマフリー点またはコマフリー面を通過するときに１次荷電粒子ビームレット内に導入されるコマが最小またはさらにはゼロになる面または点を指す（またはそのような面もしくは点によって提供される）。対物レンズのコマフリー点またはコマフリー面は、対物レンズのうち、フラウンホーファー条件（コマがゼロになる条件）が満たされる点または面である。対物レンズのコマフリー点またはコマフリー面は、荷電粒子ビーム装置の光学系のｚ軸上に位置し、ｚ軸はｚ方向に延びる。ｚ軸は、光軸４に対応することができる。言い換えれば、対物レンズのコマフリー点は、光軸４上に位置する。コマフリー点またはコマフリー面は、対物レンズ内に位置決めすることができる。一例として、コマフリー点またはコマフリー面は、対物レンズによって取り囲むことができる。
【００５９】
本明細書に記載のいくつかの実施形態によれば、対物レンズのコマフリー点を通ってビームレットを案内することは、本明細書に記載の任意の実施形態と組み合わせることができる。たとえば、荷電粒子ビーム装置は、上述した第１の電極と、対物レンズのコマフリー点を通ってビームレットを案内するためにレンズおよび／または偏向器モジュールを有するアーキテクチャとを備えることができる。
【００６０】
本明細書に記載の実施形態によれば、試験片を別個の場所で同時に検査するために、１次荷電粒子ビームレットは、対物レンズ１３０によって試験片１４０上の別個の場所に集束される。対物レンズは、１次荷電粒子ビームレットを試験片１４０上へ集束させるように構成することができ、対物レンズは減速電界型レンズである。たとえば、減速電界型レンズは、１次荷電粒子ビームレットを、画定された入射エネルギーに減速させることができる。いくつかの実施形態では、カラムエネルギーから試験片上の入射エネルギーへのエネルギー低減は、少なくとも１０分の１、たとえば少なくとも３０分の１である。一例では、入射エネルギーは、５００ｅＶまたはさらには１００ｅＶなど、典型的には約１００ｅＶ〜８ｋｅＶ、より典型的には２ｋｅＶ以下、たとえば１ｋｅＶ以下である。
【００６１】
本明細書に記載の他の実施形態と組み合わせることができるいくつかの実施形態では、対物レンズ１３０は、複合場レンズとすることができる。たとえば、対物レンズは、磁気レンズおよび静電レンズの組合せとすることができる。したがって、対物レンズは、磁気静電複合レンズとすることができる。典型的には、磁気静電複合レンズの静電部分は、静電減速電界型レンズである。走査電子顕微鏡（ＳＥＭ）の場合、磁気静電複合レンズを使用することで、数百電子ボルトなどの低い入射エネルギーで優れた分解能が得られる。低い入射エネルギーは、特に現代の半導体産業において、放射線感受性の試験片の帯電および／または損傷を回避するのに有益である。本明細書に記載の実施形態の利益はまた、磁気レンズまたは静電レンズが使用される場合にも実現することができる。
【００６２】
いくつかの実施形態によれば、荷電粒子ビーム装置１００の１次荷電粒子ビームレット１５は、共通の対物レンズによって試験片１４０上に集束される。本明細書に記載の他の実施形態と組み合わせることができるいくつかの実施形態によれば、１次荷電粒子ビームレットはすべて、対物レンズ１３０内の１つの開口を通過する。試験片１４０は、試験片ステージ１４１上に提供され、試験片ステージ１４１は、光軸４に直交する少なくとも１つの方向に試験片１４０を動かすことができる。
【００６３】
上述したように、本明細書に記載の実施形態による荷電粒子ビーム装置では、１次荷電粒子ビームレットのアレイを提供することが可能になる。いくつかの実施形態によれば、１次荷電粒子ビームレットのアレイは、典型的には１カラムあたり３つ以上の１次荷電粒子ビームレット、より典型的には１０以上の１次荷電粒子ビームレットを含むことができる。本明細書に記載のいくつかの実施形態によれば、本明細書に記載の実施形態による荷電粒子ビーム装置および荷電粒子ビーム装置によってサンプルを検査する方法は、荷電粒子ビーム装置の１つのカラムにおいて、サンプル表面で互いに小さい距離を有する１次荷電粒子ビームレットのアレイを提供することができる。たとえば、１つのカラムにおける２つの１次荷電粒子ビームレット間の距離は、典型的には１５０μｍ未満、より典型的には１００μｍ未満、またはさらには５０μｍ未満とすることができる。本明細書に記載の実施形態による荷電粒子ビーム装置および荷電粒子ビーム装置によって試験片を検査する方法では、試験片上の非常に小さく狭い構造を検査することが可能になる。
【００６４】
以下で詳細に示すいくつかの実施形態では（特に図１２に関して）、本明細書に記載の実施形態による荷電粒子ビーム装置をマルチカラム顕微鏡（ＭＣＭ）内に配列することが可能になる。複数のカラムがそれぞれ、試験片を検査するために１次荷電粒子ビームレットのアレイを有することで、プロセス速度および能力が増大する。
【００６５】
本明細書に記載の実施形態による荷電粒子ビーム装置１００は、ビーム分離器アセンブリを含むことができる。ビーム分離器アセンブリは、１次荷電粒子ビームレット１５を信号ビームから分離することができる。いくつかの実施形態によれば、ビーム分離器アセンブリは、たとえば、少なくとも１つの磁気偏向器、ウィーンフィルタ、または任意の他の手段を含むことができ、電子は、たとえば速度に依存するローレンツ力により、１次荷電粒子ビームレットビームから離れる方へ誘導される。いくつかの実施形態では、ビーム分離器は、ＥｘＢビーム分離器、特に無色ビーム分離器（１／２ＥｘＢビーム分離器）、２−Ｂ分離器、すなわち２つの磁場を有するビーム分離器、分散補正を有する２−Ｂ分離器、分散補正のためにカラムの上部が傾斜している２−Ｂ分離器、またはたとえば信号ビーム１６の曲がり角度を（たとえば、４５°〜９０°に）増大させるための追加の信号電子ベンダを有する前述の２−Ｂ分離器のいずれかとすることができる。２次粒子または信号粒子は、対物レンズ１３０を通って試験片から抽出され、ビーム分離器アセンブリ内で１次荷電粒子ビームレット１５から分離され、検出器アセンブリに到達する。検出器アセンブリは、１つまたは複数の検出器要素を含むことができ、これらの検出器要素は、測定信号、たとえば検出された信号粒子に対応する電子信号を生成するように構成される。いくつかの実施形態によれば、検出器アセンブリは、試験片と１次荷電粒子ビームレットとの相互作用によって生成された信号粒子または信号ビームを検出するマルチチャネル検出器とすることができる。
【００６６】
本明細書に記載のいくつかの実施形態によれば、荷電粒子ビーム装置は、集束レンズ、（走査）偏向器、ビームベンダ、補正器など、さらなるビーム光学素子を含むことができる。いくつかの実施形態では、多開孔レンズ板の前に（すなわち、伝播する１次荷電粒子ビームの方向に見たとき、１次荷電粒子ビームの上流に）、集束レンズを配置することができる。本明細書に記載の実施形態による荷電粒子ビーム装置は、典型的には粒子ビームエミッタから見てビーム分離器の前に、各ビームレットに対する個別のビームブランカ、またはブランカ開孔を有する共通のビームブランカなど、ビームブランカを含むことができる。
【００６７】
図１１は、荷電粒子ビーム装置１００の一実施形態を示す。荷電粒子ビーム装置１００は、荷電粒子ビーム源１１０を含み、荷電粒子ビーム源１１０は、荷電粒子ビームエミッタ１１１および加速電極１９９を有する（荷電粒子ビームエミッタ１１１と加速電極１９９との間に電圧差を提供する）。図１１に例示的に示す荷電粒子ビーム装置１００は、荷電粒子ビームエミッタ１１１から放出された１次荷電粒子ビーム１４をいくつかの１次荷電粒子ビームレット１５に分割する多開孔レンズ板１１３を含む。いくつかの実施形態によれば、多開孔レンズ板１１３は、前述の実施形態に記載の多開孔レンズ板とすることができる。荷電粒子ビーム装置１００は、２つの電極１１２−１および１１２−２をさらに例示的に含む。いくつかの実施形態では、図１１の構成はまた、１つの電極１１２のみを有することもできる。図１１に示す実施形態では、電極１１２−１および１１２−２は、特に伝播する１次荷電粒子ビームレット１５の方向に見たとき、多開孔レンズ板１１３の後ろに位置決めされている。本明細書に記載の実施形態によれば、上記の実施形態に記載の電極とすることができる。
【００６８】
いくつかの実施形態では、図１１の電極は、加速モードで駆動されるように適合される。たとえば、電極は、電極への電圧供給を制御するコントローラに接続することができる。いくつかの実施形態によれば、電極が加速モードにあることで、開孔レンズ板から伝播する１次荷電粒子ビームまたは１次荷電粒子ビームレットを加速させることができる。
【００６９】
いくつかの実施形態では、図１１に示すレンズ１２０は、磁気レンズ、無回転磁気レンズ、無回転磁気接合レンズ、静電レンズ（たとえば、１次荷電粒子ビームレットを減速もしくは加速させる可能性がある）、および／または静電磁気複合レンズ（たとえば、１次荷電粒子ビームレットに対する加速機能を有する）とすることができる。いくつかの実施形態では、レンズは、中心（たとえば、偏向器アレイの場所）への容易な機械的アクセスを可能にする磁気レンズとすることができる。いくつかの実施形態によれば、レンズ１２０は、荷電粒子ビームレットを対物レンズ１３０のコマフリーへ誘導するという主な誘導作用を提供する。いくつかの実施形態によれば、誘導の微調節は、レンズ１２０内の偏向器アレイによって行うことができる。１次荷電粒子ビームレットの集束、１次荷電粒子ビームレットと信号ビームまたはビームレットとの間のビーム分離、および信号検出は、上述したものと同じとすることができる。
【００７０】
図１２は、本明細書に記載の実施形態による荷電粒子ビーム装置の一実施形態を示す。図１２の荷電粒子ビーム装置１００は、多開孔レンズ板１１３の表面上に電界を提供する第１の電極１１２−１を有し、電界のｚ成分は、多開孔レンズ板の表面上で非回転対称である。図１２の荷電粒子ビーム装置１００は、サンプル傾斜補正のために特に使用することができる。図１２には、傾斜しているサンプル（または試験片１４０）を例示的に示す。本明細書に記載のいくつかの実施形態によれば、サンプル傾斜補正は、個別のビームレット集束のために対物レンズアレイ１３２を有するマルチビームレットカラム内で実行される。いくつかの実施形態によれば、図１２に示す荷電粒子ビーム装置１００は、コリメータ配置１２１を含む。いくつかの実施形態では、コリメータ配置は、コリメータレンズおよび／または偏向器アレイを含むことができる。特に、コリメータ配置１２１は、１次荷電粒子ビームレットを対物レンズアレイ１３２のそれぞれの光軸へ案内するのに好適である。
【００７１】
本明細書に記載の他の実施形態と組み合わせることができるいくつかの実施形態によれば、対物レンズアレイは、図１２に例示的に示すように、個別の静電レンズ（特に、減速電界型レンズ）を含むことができる。いくつかの実施形態では、個別の磁気レンズを含む（特に、共通の励磁コイルを有する）本明細書に記載の実施形態において、対物レンズアレイを使用することができる。いくつかの実施形態によれば、本明細書に記載の実施形態による荷電粒子ビーム装置に使用される対物レンズアレイは、個別の静電レンズおよび個別の磁気レンズの組合せを含むことができる。
【００７２】
図１３は、マルチカラム顕微鏡構成２０２を示す。３つの荷電粒子ビーム装置１００を有するマルチカラム顕微鏡構成２０２が、例示的に示されている。本明細書に記載の実施形態によるマルチカラム顕微鏡構成では、荷電粒子ビーム装置の数は、図示の例から逸脱してもよい。たとえば、本明細書に記載の実施形態によるマルチカラム顕微鏡構成は、２つなどの３つ未満の荷電粒子ビーム装置、または４つ、５つ、もしくはさらには６つ以上など、４つ以上の荷電粒子ビーム装置を有することができる。マルチカラム顕微鏡構成の荷電粒子ビーム装置はそれぞれ、特に図１、２および１１に関して本明細書に記載のいずれかの実施形態に記載の荷電粒子ビーム装置とすることができる。本明細書に記載の実施形態によれば、マルチカラム顕微鏡構成は、特に図３〜１０に関して上述したように、少なくとも２つの像面湾曲補正電極を有する像面湾曲補正装置を含むことができる。
【００７３】
図１３の例示的な図では、マルチカラム顕微鏡は、図２に図示および説明した荷電粒子ビーム装置を含む。マルチカラム顕微鏡構成２０２は、試験片ステージ１４２を含み、試験片ステージ１４２上に、検査すべきいくつかの試験片１４０が配置される。いくつかの実施形態では、マルチカラム顕微鏡構成２０２の荷電粒子ビーム装置は、１つの試験片をともに検査することができる。いくつかの実施形態では、試験片ステージ１４２は、荷電粒子ビーム装置の光軸に実質上直交する平面に対して傾斜するように適合させることができる。
【００７４】
本明細書に記載のいくつかの実施形態によれば、マルチカラム顕微鏡構成２０２の荷電粒子ビーム装置１００は、共通の対物レンズ１３１（簡略化された概略図に示す）を有することができ、対物レンズ１３１は、静電レンズ構成要素と、磁気レンズ構成要素、たとえば複数の孔および共通の励磁コイルを有する磁気レンズとを含む。静電レンズ構成要素は、高い電位にある上部電極と、試験片電圧に近接した電位にあり、電子を減速させて入射エネルギーを提供する下部電極とを含むことができる。これらの電極は、１次荷電粒子ビームレットを誘導すること、ならびに１次荷電粒子ビームレットを遅くすることに寄与する。加えて、２次電子（ＳＥ）または後方散乱電子などの信号粒子を抽出する制御電極、たとえばプロキシ電極を提供することができる。たとえば、本明細書に記載の実施形態による対物レンズによって、荷電粒子ビーム撮像システムの全体的な性能を劣化させることなく、非常に低い入射エネルギー、たとえば１００ｅＶ、および低い抽出場を提供することができる。
【００７５】
本明細書に記載の実施形態による荷電粒子ビーム装置およびマルチカラム顕微鏡構成は、特に本明細書に記載の実施形態による荷電粒子ビーム装置の低収差のため、大きな性能損失なく、動作条件（たとえば、１次荷電粒子ビームレットの入射エネルギー、信号ビームの抽出電圧）に関して柔軟であると説明することができる。
【００７６】
マルチカラム顕微鏡構成に関して、下部電極、中央電極、および上部電極、ならびに最終的にプロキシ電極を有する対物レンズについて説明するが、記載の電極はまた、特に図１、２または１１に関して本明細書の実施形態に記載した個々の荷電粒子ビーム装置内の対物レンズに対して（共同または単独で）使用することもできる。
【００７７】
いくつかの実施形態によれば、マルチカラム顕微鏡構成の荷電粒子ビーム装置１００の互いに対する距離は、典型的には約１０ｍｍ〜約６０ｍｍ、より典型的には約１０ｍｍ〜約５０ｍｍとすることができる。いくつかの実施形態では、マルチカラム顕微鏡構成の個々の荷電粒子ビーム装置間の距離は、荷電粒子ビーム装置の光軸間の距離として測定することができる。
【００７８】
図１３に例示的に示すように、マルチカラム顕微鏡構成内でいくつかの荷電粒子ビーム装置を使用することによって、信号ビームレット間のクロストークを十分に小さくして、十分な分解能で、十分な数の１次荷電粒子ビームレットを提供することができる。
【００７９】
図１４は、本明細書に記載の実施形態によるマルチカラム顕微鏡（ＭＣＭ）構成を示す。図１４に示すマルチカラム顕微鏡構成は、たとえば、たとえばマルチカラム顕微鏡構成におけるマルチビームレットカラム内のサンプル屈曲に基づいて、焦点補償のために使用することができる。特に、サンプル傾斜の補正を補償するための選択肢は、サンプル全体にわたって広げられたマルチビームレットカラム（たとえば、上述した荷電粒子ビーム装置からなる）を適用するＭＣＭ構成において関心を引く可能性がある。サンプル屈曲は、異なるカラムの下に局所的に傾斜したサンプル表面を作り出すことができるため（図１４に示す）、１つのマルチビームレットのカバー範囲内の局所的なサンプル傾斜は、本明細書に記載の実施形態によって補償することができる。
【００８０】
図１４のＭＣＭ構成は、３つの荷電粒子ビーム装置１００を例示的に含む。図１４に示す３つの荷電粒子ビーム装置はそれぞれ、第１の電極１１２−１および第２の電極１１２−２を含む。いくつかの実施形態によれば、第１の電極１１２−１および／または第２の電極１１２−２は、本明細書の実施形態に記載の区分けされた電極とすることができる。荷電粒子ビーム装置はそれぞれ、上記で詳細に説明したように（たとえば、図１２に関して）、コリメータ配置１２１および対物レンズアレイ１３２を含むことができる。
【００８１】
いくつかの実施形態によれば、荷電粒子ビーム装置内で１次荷電粒子ビームレットのアレイによって試験片を検査する方法が記載される。図１５に、この検査方法の流れ図５００が示されている。本明細書に記載の他の実施形態と組み合わせることができるいくつかの実施形態によれば、この方法で使用される荷電粒子ビーム装置は、特に図１、２および１１に関して本明細書の実施形態に記載した荷電粒子ビーム装置とすることができる。本明細書に記載の実施形態による方法はまた、図１２に示す実施形態などのいくつかの実施形態の記載のマルチカラム顕微鏡構成によって実行することができる。
【００８２】
ブロック５１０で、本明細書に記載の実施形態による方法は、ビームエミッタを含む荷電粒子ビーム源によって１次荷電粒子ビームを生成することを含む。ビームエミッタは、たとえば上述したように、ＣＦＥ、ショットキーエミッタ、ＴＦＥ、または別の高電流高輝度の荷電粒子ビーム源（電子ビーム源など）などの光源とすることができる。いくつかの実施形態によれば、ビームエミッタは、１つの１次荷電粒子ビームを放出することができ、この１次荷電粒子ビームは、複数の１次荷電粒子ビームレットが生成されるように処理することができる（たとえば、多開孔レンズによって分割することによる）。ビームレットは、多開孔レンズの後ろをレンズ（いくつかの実施形態では、加速レンズとすることができる）の平面へ誘導される。本明細書に記載の他の実施形態と組み合わせることができるいくつかの実施形態によれば、ビームエミッタは、ビームエミッタからの荷電粒子の抽出を支持（および誘導）する抽出電極を含むことができる。
【００８３】
ブロック５２０で、この方法は、１次荷電粒子ビームによって多開孔レンズ板を照射して、１次荷電粒子ビームレットのアレイを生成することをさらに含む。たとえば、多開孔レンズ板は、複数の開孔部を有することができ、その結果、１次荷電粒子ビームは、いくつかの集束された１次荷電粒子ビームレットに分割される。格子構成または多開孔レンズ板の開孔部の配置は、上記で詳細に説明および議論したように、好適に選択することができる。たとえば、多開孔レンズ板内の開孔部は、１次元のビームレットアレイ、またはたとえば方形もしくは２次ビームレットアレイなどの２次元のビームレットアレイで配置することができる。
【００８４】
ブロック５３０で、この方法は、多開孔レンズ板の表面上に少なくとも第１の電極によって電界を生成することをさらに含み、第１の電極は、開孔部を含む。本明細書に記載の他の実施形態と組み合わせることができるいくつかの実施形態によれば、第１の電極は、特に図３〜１０に関して説明したように、上記の実施形態に記載の電極とすることができる。いくつかの実施形態によれば、第１の電極は、詳細に上述したように、荷電粒子ビーム装置の対物レンズなどの撮像レンズによって荷電粒子ビーム装置に導入される像面湾曲を補正するために使用することができる。
【００８５】
ブロック５４０で、第１の電極に電圧が印加される。本明細書に記載の実施形態によれば、第１の電極によって提供される電界のｚ方向における成分は、多開孔レンズ板の表面上で非回転対称である。たとえば、可変の電界強度は、特に図５〜７に関して説明したように、区分けされた電極によって提供することができる。いくつかの実施形態では、少なくとも１つの像面湾曲補正電極の可変の電界強度は、特に図８〜１０に関して説明したように、傾斜した電極によって提供することができる。いくつかの実施形態によれば（特に、少なくとも１つの傾斜した電極が使用される場合）、電界強度は、光軸に直交する平面に対して傾斜（ｘおよび／またはｙ方向）した平面内で実質上一定とすることができる。
【００８６】
本明細書に記載の他の実施形態と組み合わせることができるいくつかの実施形態では、この方法は、所期の用途、荷電粒子ビーム装置内で使用されるレンズ、および荷電粒子ビーム装置の他の好適な動作パラメータに第１の電極を制御および／または調整することを含むことができる。いくつかの実施形態では、電極は、加速または減速モード（図１、図２、および図１１に例示的に示す）で駆動することができる。たとえば、電極は、多開孔レンズ板の前（伝播する１次荷電粒子ビームの方向）に配置されたとき、減速作用を有することができる。一例では、電極は、多開孔レンズ板の後ろ（伝播する１次荷電粒子ビームの方向）に配置されたとき、加速作用を有することができる。
【００８７】
ブロック５５０で、荷電粒子ビーム装置の対物レンズによって試験片上の別個の場所に１次荷電粒子ビームレットを集束させ、試験片を別個の場所で同時に検査する。いくつかの実施形態によれば、本明細書に記載の実施形態による動的像面湾曲補正により、対物レンズは、低減されたまたは非常に低い収差で、１次荷電粒子ビームレットを試験片上へ精密に集束させることが可能になる。
【００８８】
いくつかの実施形態によれば、この方法は、試験片からの信号粒子または信号ビームの抽出を容易にするために、対物レンズ付近（試験片と対物レンズとの間など）でプロキシ電極に電圧を印加することをさらに含むことができる。信号ビームは、ビーム分離器、特に無色ビーム分離器によって、１次荷電粒子ビームレットから分離することができる。いくつかの実施形態では、ビームベンダによって信号ビームを屈曲させて、信号ビームを検出器アセンブリ、特に軸外検出器アセンブリへ誘導する。この方法は、検出器アセンブリ、特にマルチチャネル検出器アセンブリによって、信号ビームを検出することをさらに含むことができる。
【００８９】
いくつかの実施形態では、この方法は、検出器によって得られたデータを処理して、試験片の画像を生成すること、または試験片の構造を評価することを可能にする形式でデータを有することを含むことができる。
【００９０】
本開示は、複数の実施形態を提供する。例示的な実施形態を以下に挙げる。
実施形態１：荷電粒子ビーム装置内で１次荷電粒子ビームレットのアレイによって試験片を検査する方法であって、荷電粒子ビーム源の荷電粒子ビームエミッタによって１次荷電粒子ビームを生成することと、１次荷電粒子ビームによって多開孔レンズ板を照射して、集束された１次荷電粒子ビームレットのアレイを生成することと、開孔部を含む少なくとも２つの電極によって荷電粒子ビーム装置の像面湾曲を補正することと、１次荷電粒子ビームレットをレンズによって荷電粒子ビーム装置の対物レンズの方へ誘導することと、レンズ内に配置された偏向器アレイを通って１次荷電粒子ビームレットを案内することであり、レンズおよび偏向器アレイの複合動作により、１次荷電粒子ビームレットが荷電粒子ビーム装置の対物レンズのコマフリー点を通って誘導される、案内することと、対物レンズによって試験片上の別個の場所に１次荷電粒子ビームレットを集束させ、試験片を別個の場所で同時に検査することとを含む方法。
【００９１】
実施形態２：少なくとも２つの電極によって荷電粒子ビーム装置の像面湾曲を補正することは、少なくとも２つの電極を荷電粒子ビーム源と多開孔レンズ板との間に配置することを含む、実施形態１に記載の方法。
【００９２】
実施形態３：少なくとも２つの電極によって荷電粒子ビーム装置の像面湾曲を補正することは、少なくとも２つの電極を減速モードで動作させて、１次荷電粒子ビームまたは１次荷電粒子ビームレットを減速させることを含む、実施形態１または２に記載の方法。
【００９３】
実施形態４：少なくとも２つの電極によって荷電粒子ビーム装置の像面湾曲を補正することは、伝播する１次荷電粒子ビームレットの方向で、少なくとも２つの電極を多開孔レンズ板の後ろに配置することを含む、実施形態１に記載の方法。
【００９４】
実施形態５：少なくとも２つの電極によって荷電粒子ビーム装置の像面湾曲を補正することは、少なくとも２つの電極を加速モードで動作させて、１次荷電粒子ビームまたは１次荷電粒子ビームレットを加速させることを含む、実施形態１または４に記載の方法。
【００９５】
実施形態６：レンズは、静電レンズ、静電磁気複合レンズ、磁気レンズ、および無回転磁気接合レンズからなる群から選択される、実施形態１から５までのいずれかに記載の方法。
【００９６】
実施形態７：１次荷電粒子ビームレットが試験片に衝突または後方散乱すると、信号荷電粒子ビームレットが生成され、信号荷電粒子ビームレットは、レンズと対物レンズとの間に配置されたビーム分離器の磁場によって、１次荷電粒子ビームレットから分離される、実施形態１から６までのいずれかに記載の方法。
【００９７】
実施形態８：偏向器アレイは、１次荷電粒子ビームレットに個別に位置合わせされた複数の４極子要素を含む、実施形態１から７までのいずれかに記載の方法。
【００９８】
実施形態９：１次荷電粒子ビームレットのアレイは、少なくとも３つの１次荷電粒子ビームレットを含む、実施形態１から８までのいずれかに記載の方法。
【００９９】
実施形態１０：１次荷電粒子ビームレットを試験片に衝突させることをさらに含み、１次荷電粒子ビームレットはそれぞれ、試験片上にスポットを提供し、スポットのスポットサイズは、２０ｎｍ未満である、実施形態１から９までのいずれかに記載の方法。
【０１００】
実施形態１１：１次荷電粒子ビームレットを試験片の別個の場所に衝突させることをさらに含み、試験片に衝突した際の荷電粒子ビームレットのいずれかの間の最小の距離は、１５０μｍ未満である、実施形態１から１０までのいずれかに記載の方法。
【０１０１】
実施形態１２：１次荷電粒子ビームレットのアレイによって試験片を検査する荷電粒子ビーム装置であって、１次荷電粒子ビームレットのアレイを生成する荷電粒子ビーム源を含み、荷電粒子ビーム源は、荷電粒子ビームを放出する荷電粒子ビームエミッタ、ならびに１次荷電粒子ビームレットのアレイを生成および集束させるために少なくとも２つの開口を含む多開孔レンズ板を含み、多開孔レンズ板は、１次荷電粒子ビームによって照射されるように配置される、荷電粒子ビーム装置。荷電粒子ビーム装置は、荷電粒子ビーム装置の像面湾曲を補正する像面湾曲補正装置であり、１次荷電粒子ビームまたは１次荷電粒子ビームレットが通過する開孔部を有する少なくとも２つの像面湾曲補正電極を含む像面湾曲補正装置と、１次荷電粒子ビームレットのアレイを荷電粒子ビーム装置の対物レンズへ誘導するように構成されたレンズと、レンズ内に配置された偏向器アレイであり、レンズおよび偏向器アレイが、レンズおよび偏向器アレイの複合動作によって、対物レンズのコマフリー点を通って１次荷電粒子ビームレットを誘導するように構成される、偏向器アレイと、１次荷電粒子ビームレットのアレイのうちの各１次荷電粒子ビームレットを試験片上の別個の場所へ減速および集束させる対物レンズとをさらに含む。
【０１０２】
実施形態１３：像面湾曲補正装置は、荷電粒子ビームエミッタと多開孔レンズ板との間に配置される、実施形態１２に記載の荷電粒子ビーム装置。
【０１０３】
実施形態１４：像面湾曲補正装置は、伝播する１次荷電粒子ビームレットの方向で、多開孔レンズ板の後ろに配置される、実施形態１２に記載の荷電粒子ビーム装置。
【０１０４】
実施形態１５：レンズは、伝播する１次荷電粒子ビームレットのアレイの方向で、多開孔レンズ板の後に直接配置される、実施形態１２または１３に記載の荷電粒子ビーム装置。
【０１０５】
実施形態１６：レンズは、静電レンズ、静電磁気複合レンズ、磁気レンズ、および無回転磁気接合レンズからなる群から選択される、実施形態１２から１５までのいずれかに記載の荷電粒子ビーム装置。
【０１０６】
実施形態１７：１次荷電粒子ビームレットのアレイのうちの１次荷電粒子ビームレットはそれぞれ、試験片上にスポットを提供し、スポットのスポットサイズは、２０ｎｍ未満である、実施形態１２から１６までのいずれかに記載の荷電粒子ビーム装置。
【０１０７】
実施形態１８：１次荷電粒子ビームレットが試験片に衝突しまたは試験片から後方散乱する際に生成される信号荷電粒子ビームレットから１次荷電粒子を分離するビーム分離器をさらに含む、実施形態１２から１７までのいずれかに記載の荷電粒子ビーム装置。
【０１０８】
実施形態１９：試験片を撮像するように構成された少なくとも２つの荷電粒子ビーム装置を有するマルチカラム顕微鏡構成であって、少なくとも２つの荷電粒子ビーム装置はそれぞれ、１次荷電粒子ビームレットのアレイを生成する荷電粒子ビーム源を含み、荷電粒子ビーム源は、荷電粒子ビームを放出する荷電粒子ビームエミッタ、ならびに１次荷電粒子ビームレットのアレイを生成するために少なくとも２つの開口を含む多開孔レンズ板を含み、多開孔レンズ板は、１次荷電粒子ビームによって照射されるように配置される、マルチカラム顕微鏡構成。マルチカラム顕微鏡構成は、荷電粒子ビーム装置の像面湾曲を補正する像面湾曲補正装置であり、１次荷電粒子ビームが通過する開孔部を有する少なくとも２つの像面湾曲補正電極を含む像面湾曲補正装置と、１次荷電粒子ビームレットのアレイを荷電粒子ビーム装置の対物レンズの方へ誘導するように構成されたレンズと、レンズ内に配置された偏向器アレイとをさらに含み、レンズおよび偏向器アレイは、レンズおよび偏向器アレイの複合動作によって、対物レンズのコマフリー点を通って１次荷電粒子ビームレットを誘導するように構成され、マルチカラム顕微鏡構成は、各１次荷電粒子ビームレットを試験片上の別個の場所へ減速および集束させる対物レンズをさらに含む。
【０１０９】
実施形態２０：少なくとも２つの荷電粒子ビーム装置の対物レンズは、少なくとも２つのレンズモジュールを含み、レンズモジュールはそれぞれ、１次荷電粒子ビームレットに対して第１の磁極片、第２の磁極片、および少なくとも１つの開口を含み、対物レンズは、少なくとも２つのレンズモジュールに磁束を提供する少なくとも１つの励磁コイルをさらに含む、実施形態１９に記載のマルチカラム顕微鏡構成。
【０１１０】
上記は実施形態を対象としたが、本発明の基本的な範囲から逸脱することなく、他のさらなる実施形態を考案することができ、本発明の範囲は、以下の特許請求の範囲によって決定される。
【図１】
2019537223.tif 000003
【図２】
2019537223.tif 000004
【図３】
2019537223.tif 000005
【図４】
2019537223.tif 000006
【図５】
2019537223.tif 000007
【図６】
2019537223.tif 000008
【図７】
2019537223.tif 000009
【図８−１０】
2019537223.tif 000010
【図１１】
2019537223.tif 000011
【図１２】
2019537223.tif 000012
【図１３】
2019537223.tif 000013
【図１４】
2019537223.tif 000014
【図１５】
2019537223.tif 000015
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
荷電粒子ビーム装置内で１次荷電粒子ビームレットのアレイによって試験片を検査する方法であって、前記荷電粒子ビーム装置は、前記荷電粒子ビーム装置のｚ方向に延びる光軸を有し、前記方法は、
荷電粒子ビームエミッタによって１次荷電粒子ビームを生成することと、
前記１次荷電粒子ビームによって表面を有する多開孔レンズ板を照射して、集束された前記１次荷電粒子ビームレットのアレイを生成することと、
前記多開孔レンズ板の前記表面上に少なくとも第１の電極によって電界を生成することと、
ここで、前記少なくとも第１の電極によって提供される前記電界のｚ方向における電界成分が非回転対称であり、
対物レンズによって前記試験片上の別個の場所に前記１次荷電粒子ビームレットを集束させ、前記試験片を前記別個の場所で同時に検査することと、
を含む方法。
【請求項２】
前記少なくとも第１の電極は、伝播する前記１次荷電粒子ビームレットの方向で、前記開孔レンズ板の前または後に配置される、請求項１に記載の方法。
【請求項３】
前記少なくとも第１の電極によって提供される前記電界の非回転対称のｚ成分は、前記少なくとも第１の電極が円周方向に少なくとも２つの別個の電極セグメントに区分けされることによって提供され、特に区分けされた前記少なくとも第１の電極は、双極子、４極子、またはより高次の極を提供する、請求項１または２に記載の方法。
【請求項４】
前記少なくとも第１の電極によって提供される前記電界の非回転対称のｚ成分は、前記荷電粒子ビーム装置の前記光軸に直交する平面に対して傾斜している前記少なくとも第１の電極によって提供される、請求項１から３までのいずれか１項に記載の方法。
【請求項５】
前記試験片のサンプル傾斜または局所的サンプル傾斜を測定することと、
前記傾斜に比例する電界強度または前記サンプル傾斜もしくは前記局所的サンプル傾斜を少なくとも部分的に補償する電界強度を有する前記電界を生成することと、
をさらに含む、請求項１から４までのいずれか１項に記載の方法。
【請求項６】
走査偏向器によって前記試験片の上で前記１次荷電粒子ビームレットを走査させることをさらに含み、前記多開孔レンズ板の前記表面上に前記少なくとも第１の電極によって生成される前記電界のｚ成分は、前記走査偏向器の励磁に比例する振幅を有する、請求項１から５までのいずれか１項に記載の方法。
【請求項７】
１次荷電粒子ビームレットのアレイによって試験片を検査する荷電粒子ビーム装置であって、前記荷電粒子ビーム装置のｚ方向に延びる光軸を備え、前記荷電粒子ビーム装置は、
１次荷電粒子ビームレットのアレイを生成する荷電粒子ビーム源であり、
荷電粒子ビームを放出する荷電粒子ビームエミッタ、および
表面を有する多開孔レンズ板を備え、前記多開孔レンズ板は、１次荷電粒子ビームレットのアレイを生成および集束させるために少なくとも２つの開口を備え、前記１次荷電粒子ビームによって照射されるように配置される、荷電粒子ビーム源と、
前記多開孔レンズ板の前記表面上に電界を生成する少なくとも第１の電極であり、半径方向、円周方向、および前記１次荷電粒子ビームまたは前記１次荷電粒子ビームレットが通過する開孔部を有し、
前記荷電粒子ビーム装置の前記光軸に直交する平面に対して傾斜しており、かつ／または円周方向に少なくとも２つの別個の電極セグメントに区分けされた少なくとも第１の電極と、
前記１次荷電粒子ビームレットのアレイのうちの各１次荷電粒子ビームレットを前記試験片上の別個の場所へ集束させる対物レンズとをさらに備える荷電粒子ビーム装置。
【請求項８】
前記別個の電極セグメントは、異なる電圧によって別個に付勢可能であり、特に区分けされた前記第１の電極は、双極子、４極子、またはより高次の極を提供する、請求項７に記載の荷電粒子ビーム装置。
【請求項９】
前記少なくとも第１の電極は、伝播する前記１次荷電粒子ビームレットの方向で、前記開孔レンズ板の前または後に配置される、請求項７または８に記載の荷電粒子ビーム装置。
【請求項１０】
前記第１の電極は、どちらも前記ｚ方向に直交するｘまたはｙ方向に傾斜している、請求項７から９までのいずれか１項に記載の荷電粒子ビーム装置。
【請求項１１】
前記荷電粒子ビーム装置は、前記試験片を傾斜させて支持するように適合される、請求項８から１０までのいずれか１項に記載の荷電粒子ビーム装置。
【請求項１２】
試験片を検査するマルチカラム顕微鏡であって、
１次荷電粒子ビームレットのアレイによって試験片を検査する荷電粒子ビーム装置を備え、前記荷電粒子ビーム装置は、前記荷電粒子ビーム装置のｚ方向に延びる光軸を備え、前記荷電粒子ビーム装置は、
１次荷電粒子ビームレットのアレイを生成する荷電粒子ビーム源をさらに備え、前記荷電粒子ビーム源は、
荷電粒子ビームを放出する荷電粒子ビームエミッタ、
１次荷電粒子ビームレットのアレイを生成および集束させるために少なくとも２つの開口を備える多開孔レンズ板であり、前記１次荷電粒子ビームによって照射されるように配置された多開孔レンズ板、ならびに
前記多開孔レンズ板の表面上に電界を生成する少なくとも第１の電極であり、前記１次荷電粒子ビームまたは前記１次荷電粒子ビームレットが通過する開孔部を有し、
前記荷電粒子ビーム装置の前記光軸に直交する平面に対して傾斜しており、かつ／または円周方向に少なくとも２つの別個の電極セグメントに区分けされた少なくとも第１の電極を備え、前記荷電粒子ビーム装置は、
前記１次荷電粒子ビームレットのアレイのうちの各１次荷電粒子ビームレットを前記試験片上の別個の場所へ集束させる対物レンズをさらに備え、
前記マルチカラム顕微鏡は、
さらなる１次荷電粒子ビームレットのアレイを生成するさらなる荷電粒子ビーム源をさらに備える、マルチカラム顕微鏡。
【請求項１３】
前記対物レンズのコマフリー点を通って前記１次荷電粒子ビームレットのアレイのうちの１次荷電粒子ビームレットを案内するレンズモジュールおよび偏向器モジュールのうちの少なくとも１つ
をさらに備える、請求項８から１１までのいずれか１項に記載の荷電粒子ビーム装置。
【請求項１４】
前記対物レンズのコマフリー点を通って前記１次荷電粒子ビームレットのアレイのうちの１次荷電粒子ビームレットを案内するレンズモジュールおよび偏向器モジュールのうちの少なくとも１つ
をさらに備える、請求項１３に記載のマルチカラム顕微鏡。
【請求項１５】
対物レンズアレイの前記それぞれの光軸へ前記１次荷電粒子ビームレットのアレイのうちの前記１次荷電粒子ビームレットを案内するコリメータレンズおよび偏向器アレイのうちの少なくとも１つを有するコリメータ
をさらに備える、請求項１２または１３に記載のマルチカラム顕微鏡。
【手続補正２】
【補正対象書類名】明細書
【補正対象項目名】００２５
【補正方法】変更
【補正の内容】
【００２５】
いくつかの実施形態によれば、本明細書に記載の荷電粒子ビーム装置は、電界を生成する２つ以上の電極を有することができる。図２は、２つ以上の電極を有する一実施形態を例示的に示す。本明細書に記載の実施形態によれば、荷電粒子ビーム装置は、電極１１２−１および１１２−２を含む（２つの電極を例示的に示す）。いくつかの実施形態によれば、第１の電極は、開孔レンズを作り出す電界を与えるために使用することができ、第２の電極は、像面湾曲補正電極として使用することができる。いくつかの実施形態、特に２つ以上の電極を有する実施形態では、多開孔レンズ板に最も近い電極である電極を、本明細書に記載の実施形態による第１の電極と呼ぶことができる。図２では、電極１１２−２が、本明細書に記載の実施形態による第１の電極と呼ばれるはずである。いくつかの実施形態では、２つ以上の電極は、電界を提供するようにともに作用することができ、電界のｚ成分は、多開孔レンズ板の表面上で非回転対称である。図２の実施形態では、荷電粒子ビームエミッタ１１１と多開孔レンズ板１１３との間に配置された電極１１２−１および１１２−２が、例示的に示されている。さらに、いくつかの実施形態によれば、荷電粒子ビーム装置１００は、走査偏向器１５０を含むことができる。走査偏向器１５０は、１２０と試験片ステージ１４１との間に提供することができる。特に、対物レンズ１３０の磁極片アセンブリによって取り囲まれている、かつ／または静電レンズの電極の位置にある、走査偏向器を提供することができる。図２は、本開示の他の実施形態と組み合わせることができる一実施形態を示し、走査偏向器は、減速レンズの上部電極を備えている。ここで述べた他の実施形態と組み合わせることができるいくつかの実施形態によれば、ここで述べた任意の家電粒子ビーム装置に、試験片の上で一次荷電粒子ビームレットを走査させる走査偏向器を備えることができる。
【手続補正３】
【補正対象書類名】明細書
【補正対象項目名】００７１
【補正方法】変更
【補正の内容】
【００７１】
本明細書に記載の他の実施形態と組み合わせることができるいくつかの実施形態によれば、対物レンズアレイは、図１２に例示的に示すように、個別の静電レンズ（特に、減速電界型レンズ）を含むことができる。いくつかの実施形態では、個別の磁気レンズを含む（特に、共通の励磁コイルを有する）本明細書に記載の実施形態において、対物レンズアレイを使用することができる。いくつかの実施形態によれば、本明細書に記載の実施形態による荷電粒子ビーム装置に使用される対物レンズアレイは、個別の静電レンズおよび個別の磁気レンズの組合せを含むことができる。いくつかの実施形態によれば、対物レンズアレイは、個別の静電レンズおよび個別の磁気レンズのうちの１つまたは複数を備えることができる。
【国際調査報告】
2019537223.tif 000016
2019537223.tif 000017
2019537223.tif 000018